(57)【要約】【課題】身体又は身体の装着品に装着して使用することが可能な携帯型情報コード読取装置において、装置本体の簡単な着脱及び装着状態の切り替えを可能としつつ、装置本体の設定を装着状態に合わせて切り替え可能な構成を提供する。【解決手段】携帯型情報コード読取装置１０は、撮像部２３や制御回路４０（処理部）などがケース１２に保持されてなる装置本体１１と、装置本体１１とは別体として構成され使用者又は使用者の装着物に取り付けられる取付部材６０とを備えている。そして、装置本体１１は、取付部材６０の複数の取付部（右側装着部７０及び左側装着部８０）に対して着脱可能とされている。更に、複数の取付部（右側装着部７０及び左側装着部８０）のいずれかに取り付けられる装置本体１１の装着状態を検出する装着状態検出部と、装着状態検出部での検出結果に基づいて、装置本体１１内の設定を切り替える設定切替部とが設けられている。【選択図】図２４
2016033781.tif 000002
【特許請求の範囲】
【請求項１】
情報コードの画像を撮像可能な撮像部と、
前記撮像部によって撮像された画像に対する所定処理を行う処理部と、
少なくとも前記撮像部及び前記処理部を保持するケースと、
前記撮像部及び前記処理部が前記ケースに組み付けられてなる装置本体が着脱される取付部を備えると共に前記装置本体とは別体として設けられ、使用者の身体又は使用者の装着物に取り付けられる取付部材と、
前記取付部に取り付けられる前記装置本体の装着状態を検出する装着状態検出部と、
前記装着状態検出部での検出結果に基づいて、前記装置本体内の設定を切り替える設定切替部と、
を有することを特徴とする携帯型情報コード読取装置。
【請求項２】
前記装置本体において外部操作可能に設けられる複数の操作部を備え、
前記設定切替部は、前記装着状態検出部での検出結果に基づいて複数の前記操作部のそれぞれに機能を割り当てる機能割当部を有することを特徴とする請求項１に記載の携帯型情報コード読取装置。
【請求項３】
前記取付部材には、前記取付部として第１取付部と第２取付部とが設けられ、
前記装置本体が前記第１取付部に取り付けられた場合に所定の第１装着状態となり、前記装置本体が前記第２取付部に取付られた場合に所定の第２装着状態となる構成であり、
前記装着状態検出部は、前記取付部に取り付けられる前記装置本体の装着状態が前記第１装着状態又は前記第２装着状態のいずれであるかを検出し、
前記機能割当部は、前記装着状態検出部により前記第１装着状態が検出された場合に複数の前記操作部の機能を第１設定とし、前記装着状態検出部により前記第２装着状態が検出された場合に複数の前記操作部の機能を第２設定とすることを特徴とする請求項２に記載の携帯型情報コード読取装置。
【請求項４】
複数の前記操作部には、１又は複数の第１操作領域が構成された所定の第１操作部と、前記第１操作部とは異なる１又は複数の第２操作領域が構成された第２操作部と、が含まれ、
前記装置本体が前記第１取付部に対して前記第１装着状態で装着された場合に、前記第１操作部が前記第２操作部よりも上方に配置され、前記装置本体が前記第２取付部に対して前記第２装着状態で装着された場合に、前記第２操作部が前記第１操作部よりも上方に配置される構成であり、
前記機能割当部は、前記装着状態検出部によって前記第１装着状態が検出された場合に、前記第１操作部に第１機能を割り当てると共に前記第２操作部に第２機能を割り当て、前記装着状態検出部によって前記第２装着状態が検出された場合に、前記第１操作部に前記第２機能を割り当てると共に前記第２操作部に前記第１機能を割り当てることを特徴とする請求項３に記載の携帯型情報コード読取装置。
【請求項５】
前記取付部材には、１又は複数の磁石からなる磁石部が設けられ、
前記装着状態検出部は、１又は複数のセンサからなるセンサ部を備え、
前記取付部に対する前記装置本体の装着状態に応じて、前記磁石部に対する前記センサ部の相対的な位置関係が変化する構成であり、
前記装着状態検出部は、前記センサ部での検出結果に基づいて前記装置本体の装着状態を検出することを特徴とする請求項１から請求項４のいずれか一項に記載の携帯型情報コード読取装置。
【請求項６】
前記第１取付部及び前記第２取付部のそれぞれに、１又は複数の磁石からなる磁石部が設けられ、
前記装着状態検出部は、センサ部を備えており、
前記装置本体が前記第１取付部に対して前記第１装着状態で装着された場合に、当該第１取付部に配置される前記磁石部に対する前記センサ部の相対的な位置が第１相対位置となり、
前記装置本体が前記第２取付部に対して前記第２装着状態で装着された場合に、当該第２取付部に配置される前記磁石部に対する前記センサ部の相対的な位置が第２相対位置となり、
前記装着状態検出部は、前記センサ部での検出結果に基づいて前記装置本体の装着状態を検出することを特徴とする請求項３又は請求項４に記載の携帯型情報コード読取装置。
【請求項７】
前記センサ部は、複数の磁気センサを備え、
前記装置本体が前記第１取付部に対して前記第１装着状態で装着された場合、前記センサ部にて第１磁気検出結果が得られ、前記装置本体が前記第２取付部に対して前記第２装着状態で装着された場合に、前記センサ部にて第２磁気検出結果が得られる構成であり、
前記装着状態検出部は、前記センサ部で前記第１磁気検出結果が得られた場合に前記第１装着状態を検出し、前記センサ部で前記第２磁気検出結果が得られた場合に前記第２装着状態を検出することを特徴とする請求項６に記載の携帯型情報コード読取装置。
【請求項８】
前記センサ部は、磁石の近接又は離間に応じた誘導電流を発生させる誘導電流発生部を備え、
前記装置本体が前記第１取付部に対して前記第１装着状態で装着される際に前記誘導電流発生部が第１電流状態となり、前記装置本体が前記第２取付部に対して前記第２装着状態で装着される際に前記誘導電流発生部が第２電流状態となる構成であり、
前記装着状態検出部は、前記誘導電流発生部が前記第１電流状態となった場合に前記第１装着状態を検出し、前記誘導電流発生部が前記第２電流状態となった場合に前記第２装着状態を検出することを特徴とする請求項６に記載の携帯型情報コード読取装置。
【請求項９】
前記装着状態検出部は、１又は複数の押圧検出部を備えてなるセンサ部を有し、
前記取付部には、前記押圧検出部を押圧可能な１又は複数の押圧部を備えた被検出部が形成され、
前記装置本体が前記第１取付部に対して前記第１装着状態で装着された場合に、前記センサ部に対する前記被検出部の位置が第１相対位置となり、且つ前記センサ部にて第１押圧検出結果が得られる構成であり、
前記装置本体が前記第２取付部に対して前記第２装着状態で装着された場合に、前記センサ部に対する前記被検出部の位置が第２相対位置となり、且つ前記センサ部にて第２押圧検出結果が得られる構成であり、
前記装着状態検出部は、前記センサ部で前記第１押圧検出結果が得られた場合に前記第１装着状態を検出し、前記センサ部で前記第２押圧検出結果が得られた場合に前記第２装着状態を検出することを特徴とする請求項３又は請求項４に記載の携帯型情報コード読取装置。
【請求項１０】
前記装着状態検出部は、１又は複数の明るさセンサを備え、１又は複数の前記明るさセンサでの検出結果に基づいて前記装置本体の装着状態を検出することを特徴とする請求項１から請求項４のいずれか一項に記載の携帯型情報コード読取装置。
【請求項１１】
前記装着状態検出部は、第１明るさセンサと第２明るさセンサとを備え、
前記装置本体が前記第１取付部に対して前記第１装着状態で装着された場合に、前記第１明るさセンサが前記第２明るさセンサよりも上向きに配置され、前記装置本体が前記第２取付部に対して前記第２装着状態で装着された場合に、前記第２明るさセンサが前記第１明るさセンサよりも上向きに配置される構成であり、
前記装着状態検出部は、前記第１明るさセンサ及び前記第２明るさセンサでの検出結果に基づいて前記装置本体の装着状態を検出することを特徴とする請求項３又は請求項４に記載の携帯型情報コード読取装置。
【請求項１２】
前記装着状態検出部は、前記撮像部での画像の撮像結果に基づいて前記装置本体の装着状態を検出することを特徴とする請求項１から請求項４のいずれか一項に記載の携帯型情報コード読取装置。
【請求項１３】
前記装着状態検出部は、加速度センサを備え、前記加速度センサでの検出結果に基づいて前記装置本体の装着状態を検出することを特徴とする請求項１から請求項４のいずれか一項に記載の携帯型情報コード読取装置。
【請求項１４】
前記装置本体は、前記第１取付部に取り付けられる場合に当該装置本体の所定の第１壁部側が前記第１取付部に取り付けられ、前記第２取付部に取付られる場合に前記第１壁部とは反対の所定の第２壁部側が前記第２取付部に取り付けられる構成であり、
前記装着状態検出部は、前記第１壁部側が前記第１取付部に取り付けられる場合に第１状態となり、前記第２壁部側が前記第２取付部に取り付けられる場合に第２状態となるセンサ部を備え、
前記センサ部での検出結果に基づいて前記装置本体の装着状態を検出することを特徴とする請求項３又は請求項４に記載の携帯型情報コード読取装置。
【請求項１５】
前記装着状態検出部は、前記第１壁部側の明るさを検出する明るさセンサを備え、
前記第１壁部側が前記第１取付部に取り付けられた場合に前記明るさセンサが前記第１取付部側を向いて配置され、前記第２壁部側が前記第２取付部に取付られた場合に前記明るさセンサが前記第２取付部とは反対側を向いて配置される構成であり、
前記装着状態検出部は、前記明るさセンサでの検出結果に基づいて前記装置本体の装着状態を検出することを特徴とする請求項１４に記載の携帯型情報コード読取装置。
【請求項１６】
前記装着状態検出部は、測距センサを備え、
前記第１壁部側が前記第１取付部に取り付けられた場合に前記測距センサが前記第１取付部側を向いて配置され、前記第２壁部側が前記第２取付部に取付られた場合に前記測距センサが前記第２取付部とは反対側を向いて配置される構成であり、
前記装着状態検出部は、前記測距センサでの検出結果に基づいて前記装置本体の装着状態を検出することを特徴とする請求項１４に記載の携帯型情報コード読取装置。
【発明の詳細な説明】
【技術分野】
【０００１】
本発明は、携帯型情報コード読取装置に関するものである。
【背景技術】
【０００２】
従来から提供されている携帯型の情報コード読取装置は、使用者が装置を手で持って情報コードに向ける操作を行い、その情報コードを読み取るような方式のものが一般的である。しかしながら、このように手で持つことを必須とする構成では、使用者の片手が他の作業に使えなくなってしまうという問題があり、作業性を高めにくかった。
【先行技術文献】
【特許文献】
【０００３】
【特許文献１】特開平８−２７２４８４号公報
【特許文献２】特開２００４−３００１４号公報
【発明の概要】
【発明が解決しようとする課題】
【０００４】
そこで、発明者らは、撮像部を備えたケース本体を身体や身体の装着品（例えば耳や頭など）に装着し、手で把持することなく撮像部をコードに向けてコードの読み取りを行い得る構成を着想した。このように構成すれば、手で把持しない状態での通常動作（手で持たずに耳や頭に装着した状態で情報コードの読み取りを行う動作等）が可能となり、手を把持動作以外の作業等に使いやすくなるため、使用者の作業性を飛躍的に高めることができる。
【０００５】
但し、単に読取装置をユーザの身体に取り付けるだけでは、読取装置を身体へ装着する準備や身体から離脱する作業などが行い難くなる虞がある。そこで、発明者らは、検討を重ね、装置本体と取付部材（身体又は身体の装着品に取り付けられる部材）とを別体で構成し、身体等に取付部材を取り付けると共に、この取付部材に対して装置本体を着脱できるようにした構成を想定するに至った。このように装置本体を容易に着脱し得る別体構造とすれば、装着作業や離脱作業が行い易くなり、ユーザの利便性が確実に高められるのである。そして、このような構成では、装着の自由度を高める上では、装置本体の装着状態が切り替えであることが望ましいといえる。
【０００６】
本発明は、上述した課題を解決するためのものであり、身体又は身体の装着品に装着して使用することが可能な携帯型情報コード読取装置において、装置本体の着脱をより簡単に行うことができると共に、装置本体を複数の装着状態に切り替え可能であり、更に、装置本体の設定を装着状態に合わせて切り替え可能な構成を提供することを目的とする。
【課題を解決するための手段】
【０００７】
本発明は、情報コードの画像を撮像可能な撮像部と、
前記撮像部によって撮像された画像に対する所定処理を行う処理部と、
少なくとも前記撮像部及び前記処理部を保持するケースと、
前記撮像部及び前記処理部が前記ケースに組み付けられてなる装置本体が着脱される取付部を備えると共に前記装置本体とは別体として設けられ、使用者の身体又は使用者の装着物に取り付けられる取付部材と、
前記取付部に取り付けられる前記装置本体の装着状態を検出する装着状態検出部と、
前記装着状態検出部での検出結果に基づいて、前記装置本体内の設定を切り替える設定切替部と、
を有することを特徴とする。
【発明の効果】
【０００８】
請求項１の発明によれば、身体又は身体の装着品に装着して使用することが可能な携帯型情報コード読取装置において、装置本体の着脱をより簡単に行うことができると共に装置本体を複数の装着状態に切り替え可能を実現できる。更に、本発明は、取付部に取り付けられる装置本体の装着状態を検出する装着状態検出部と、装着状態検出部での検出結果に基づいて、装置本体内の設定を切り替える設定切替部とを備えているため、装置本体内の設定を、装着状態に合わせて切り替えることができるようになる。従って、装着状態に関係なく設定が一律に固定化されるような構成と比較して、設定の自由度が高まり、使用者の利便性を高めやすくなる。
【０００９】
装着状態検出部の構成は、取付部に取り付けられる装置本体の装着状態を検出できる構成（例えば、取付部での装置本体の取付位置を検出できる構成）であればよく、例えば、制御回路とセンサ部とを備えた構成とすることができる。
【００１０】
請求項２の発明は、装置本体において外部操作可能に設けられる複数の操作部を備えており、設定切替部は、装着状態検出部での検出結果に基づいて複数の操作部のそれぞれに機能を割り当てる機能割当部を有している。
この構成によれば、複数の操作部を備えた構成において、複数の操作部の各機能を、装置本体の装着状態に応じた設定とすることが可能となる。
【００１１】
請求項３の発明は、取付部材において、取付部として第１取付部と第２取付部とが設けられ、装置本体が第１取付部に取り付けられた場合に所定の第１装着状態となり、装置本体が第２取付部に取付られた場合に所定の第２装着状態となる構成となっている。そして、装着状態検出部は、取付部に取り付けられる装置本体の装着状態が第１装着状態又は第２装着状態のいずれであるかを検出し、機能割当部は、装着状態検出部により第１装着状態が検出された場合に複数の操作部の機能を第１設定とし、装着状態検出部により第２装着状態が検出された場合に複数の操作部の機能を第２設定とする構成となっている。
この構成によれば、装置本体の取付位置を、少なくとも２つの取付部（第１取付部及び第２取付部）において切り替え可能な構成を実現できる。更に、装置本体が各取付部に装着されるときの各装着状態を検出し、複数の操作部を、各装着状態に合わせた割り当てにすることができる。
【００１２】
請求項４の発明は、複数の操作部において、１又は複数の第１操作領域が構成された所定の第１操作部と、第１操作部とは異なる１又は複数の第２操作領域が構成された第２操作部と、が含まれている。そして、装置本体が第１取付部に対して第１装着状態で装着された場合に、第１操作部が第２操作部よりも上方に配置され、装置本体が第２取付部に対して第２装着状態で装着された場合に、第２操作部が第１操作部よりも上方に配置される構成となっている。更に、機能割当部は、装着状態検出部によって第１装着状態が検出された場合に、第１操作部に第１機能を割り当てると共に第２操作部に第２機能を割り当て、装着状態検出部によって第２装着状態が検出された場合に、第１操作部に第２機能を割り当てると共に第２操作部に第１機能を割り当てる構成となっている。
この構成によれば、装置本体を、第１操作部が第２操作部よりも上方に配置される第１装着状態と、第２操作部が第１操作部よりも上方に配置される第２装着状態と、に切り替えて使用することが可能となる。一方、この構成では、第１装着状態と第２装着状態とで第１操作部と第２操作部の上下関係が逆転するが、機能割当部により、相対的に上側になった操作部に第１機能を割り当て、相対的に下側になった操作部に第２機能を割り当てることができるため、第１装着状態及び第２装着状態のいずれでも、上側を第１機能として使用し、下側を第２機能として使用することが可能となる。
【００１３】
請求項５の発明は、取付部材において、１又は複数の磁石からなる磁石部が設けられ、装着状態検出部が、１又は複数のセンサからなるセンサ部を備えており、取付部に対する装置本体の装着状態に応じて、磁石部に対するセンサ部の相対的な位置関係が変化する構成となっている。そして、装着状態検出部は、センサ部での検出結果に基づいて装置本体の装着状態を検出する構成となっている。
この構成によれば、装置本体の装着状態を、磁石部とセンサ部とを用いたより簡易な構成で検出できるようになる。
【００１４】
請求項６の発明では、第１取付部及び第２取付部のそれぞれに、１又は複数の磁石からなる磁石部が設けられ、装着状態検出部は、センサ部を備えている。そして、装置本体が第１取付部に対して第１装着状態で装着された場合に、当該第１取付部に配置される磁石部に対するセンサ部の相対的な位置が第１相対位置となり、装置本体が第２取付部に対して第２装着状態で装着された場合に、当該第２取付部に配置される磁石部に対するセンサ部の相対的な位置が第２相対位置となる構成であり、装着状態検出部は、センサ部での検出結果に基づいて装置本体の装着状態を検出する構成となっている。
この構成によれば、装置本体の取付位置を、少なくとも２つの取付部（第１取付部及び第２取付部）において切り替え可能な構成を実現しつつ、装置本体がいずれの取付部に取り付けられている状態であるかを、磁石部とセンサ部とを用いたより簡易な構成で検出できるようになる。
【００１５】
請求項７の発明は、センサが、複数の磁気センサを備えており、装置本体が第１取付部に対して第１装着状態で装着された場合、センサ部にて第１磁気検出結果が得られ、装置本体が第２取付部に対して第２装着状態で装着された場合に、センサ部にて第２磁気検出結果が得られる構成となっている。そして、装着状態検出部は、センサ部で第１磁気検出結果が得られた場合に第１装着状態を検出し、センサ部で第２磁気検出結果が得られた場合に第２装着状態を検出する構成となっている。
この構成では、装置本体の取付位置を少なくとも２つの取付部（第１取付部及び第２取付部）において切り替え可能な構成を実現しつつ、装置本体がいずれの取付部に取り付けられている状態であるかを、センサ部での磁気の検出結果に基づいてより正確に検出し易くなる。
【００１６】
請求項８の発明は、センサ部が、磁石の近接又は離間に応じた誘導電流を発生させる誘導電流発生部を備えており、装置本体が第１取付部に対して第１装着状態で装着される際に誘導電流発生部が第１電流状態となり、装置本体が第２取付部に対して第２装着状態で装着される際に誘導電流発生部が第２電流状態となる構成となっている。そして、装着状態検出部は、誘導電流発生部が第１電流状態となった場合に第１装着状態を検出し、誘導電流発生部が第２電流状態となった場合に第２装着状態を検出する構成となっている。
この構成では、装置本体の取付位置を少なくとも２つの取付部（第１取付部及び第２取付部）において切り替え可能な構成を実現しつつ、装置本体がいずれの取付部に取り付けられている状態であるかを、誘導電流発生部での電流状態に基づいてより正確に検出し易くなる。
【００１７】
請求項９の発明は、装着状態検出部が、１又は複数の押圧検出部を備えてなるセンサ部を有しており、取付部には、押圧検出部を押圧可能な１又は複数の押圧部を備えた被検出部が形成されている。そして、装置本体が第１取付部に対して第１装着状態で装着された場合に、センサ部に対する被検出部の位置が第１相対位置となり、且つセンサ部にて第１押圧検出結果が得られる構成となっており、装置本体が第２取付部に対して第２装着状態で装着された場合に、センサ部に対する被検出部の位置が第２相対位置となり、且つセンサ部にて第２押圧検出結果が得られる構成となっている。そして、装着状態検出部は、センサ部で第１押圧検出結果が得られた場合に第１装着状態を検出し、センサ部で第２押圧検出結果が得られた場合に第２装着状態を検出する。
この構成では、装置本体の取付位置を少なくとも２つの取付部（第１取付部及び第２取付部）において切り替え可能な構成を実現しつつ、装置本体がいずれの取付部に取り付けられている状態であるかを、センサ部での押圧検出結果に基づいてより正確に検出し易くなる。
【００１８】
請求項１０の発明は、装着状態検出部が、１又は複数の明るさセンサを備えており、１又は複数の明るさセンサでの検出結果に基づいて装置本体の装着状態を検出する構成となっている。
この構成によれば、明るさセンサを用いたより簡易な構成で装置本体の装着状態を検出することができる。
【００１９】
請求項１１の発明は、装着状態検出部が、第１明るさセンサと第２明るさセンサとを備えている。そして、装置本体が第１取付部に対して第１装着状態で装着された場合に、第１明るさセンサが第２明るさセンサよりも上向きに配置され、装置本体が第２取付部に対して第２装着状態で装着された場合に、第２明るさセンサが第１明るさセンサよりも上向きに配置される構成となっている。更に、装着状態検出部は、第１明るさセンサ及び第２明るさセンサでの検出結果に基づいて装置本体の装着状態を検出する構成となっている。
この構成では、装置本体の取付位置を少なくとも２つの取付部（第１取付部及び第２取付部）において切り替え可能な構成を実現しつつ、装置本体がいずれの取付部に取り付けられている状態であるかを、複数種類の明るさセンサでの検出結果に基づいてより正確に検出し易くなる。
【００２０】
請求項１２の発明では、装着状態検出部が、撮像部での画像の撮像結果に基づいて装置本体の装着状態を検出する構成となっている。
この構成によれば、情報コードの撮像に用いる撮像部を装置本体の装着状態を検出するために兼用することができ、装置全体をより簡素化することができる。このような構成は、特に、軽量化、小型化が求められるウェアラブル端末ではより有利になる。
【００２１】
請求項１３の発明は、装着状態検出部が加速度センサを備えており、加速度センサでの検出結果に基づいて装置本体の装着状態を検出する構成となっている。
この構成によれば、加速度センサを用いたより簡易な構成で装置本体の装着状態を検出することができる。
【００２２】
請求項１４の発明は、装置本体が、第１取付部に取り付けられる場合に当該装置本体の所定の第１壁部側が第１取付部に取り付けられ、第２取付部に取付られる場合に第１壁部とは反対の所定の第２壁部側が第２取付部に取り付けられる構成となっている。そして、装着状態検出部は、第１壁部側が第１取付部に取り付けられる場合に第１状態となり、第２壁部側が第２取付部に取り付けられる場合に第２状態となるセンサ部を備えており、センサ部での検出結果に基づいて装置本体の装着状態を検出する構成となっている。
この構成では、第１取付部に取り付けられる場合と、第２取付部に取り付けられる場合とで、装置本体における取付対象の壁部を異ならせることができる。そして、このような構成を実現しつつ、装置本体がいずれの取付部に取り付けられている状態であるかを、センサ部での検出結果に基づき、より簡易に且つより正確に検出し易くなる。
【００２３】
請求項１５の発明は、装着状態検出部が、第１壁部側の明るさを検出する明るさセンサを備えている。そして、第１壁部側が第１取付部に取り付けられた場合に明るさセンサが第１取付部側を向いて配置され、第２壁部側が第２取付部に取付られた場合に明るさセンサが第２取付部とは反対側を向いて配置される構成となっている。そして、装着状態検出部は、明るさセンサでの検出結果に基づいて装置本体の装着状態を検出する構成となっている。
この構成によれば、第１取付部に取り付けられる場合と第２取付部に取り付けられる場合とで、装置本体における取付対象の壁部を異ならせることが可能な構成において、装置本体がいずれの取付部に取り付けられている状態であるかを、明るさセンサでの検出結果に基づいてより一層正確に検出し易くなる。特に、第１取付部に取り付けられた場合と、第２取付部に取り付けられた場合とで、明るさセンサに入り込む光が大きく変わり得る構成であるため、装着状態をより正確に判定しやすくなる。
【００２４】
請求項１６の発明は、装着状態検出部が測距センサを備えている。そして、第１壁部側が第１取付部に取り付けられた場合に測距センサが第１取付部側を向いて配置され、第２壁部側が第２取付部に取付られた場合に測距センサが第２取付部とは反対側を向いて配置される構成となっている。そして、装着状態検出部は、測距センサでの検出結果に基づいて装置本体の装着状態を検出する構成となっている。
この構成によれば、第１取付部に取り付けられる場合と第２取付部に取り付けられる場合とで、装置本体における取付対象の壁部を異ならせることが可能な構成において、装置本体がいずれの取付部に取り付けられている状態であるかを、測距センサでの検出結果に基づいてより一層正確に検出し易くなる。特に、装置本体が第１取付部に取り付けられる場合と、第２取付部に取り付けられる場合とで、測距センサの測定側の空間状態が大きく変わり得る構成であるため、装着状態をより正確に判定しやすくなる。
【図面の簡単な説明】
【００２５】
【図１】図１は、本発明の第１実施形態に係る携帯型情報コード読取装置を概略的に例示する斜視図である。
【図２】図２は、図１の携帯型情報コード読取装置の電気的構成を概略的に例示するブロック図である。
【図３】図３は、図１の携帯型情報コード読取装置が使用される様子を例示する説明図である。
【図４】図４は、図１の携帯型情報コード読取装置を図１とは異なる方向から見た斜視図である。
【図５】図５は、図１の携帯型情報コード読取装置を図１、図４とは異なる方向から見た斜視図である。
【図６】図６は、図１の携帯型情報コード読取装置を図１、図４、図５とは異なる方向から見た斜視図である。
【図７】図７は、図１の携帯型情報コード読取装置において、装置本体を左側装着部に装着した様子を例示する斜視図である。
【図８】図８は、図１の携帯型情報コード読取装置が装着された使用者の顔付近を例示する説明図である。
【図９】図９は、図４の構成から装置本体及び保持部材を分解した様子を示す斜視図である。
【図１０】図１０は、図１の携帯型情報コード読取装置において、ケースを取付部から取り外した様子を簡略的に示す斜視図である。
【図１１】図１１は、図１の携帯型情報コード読取装置の一部である取付部を例示する斜視図である。
【図１２】図１２は、図１の携帯型情報コード読取装置の一部である装置本体を例示する側面図である。
【図１３】図１３は、図１２の装置本体を図１２とは反対側から見た側面図である。
【図１４】図１４は、図１２、図１３に示す装置本体がケーブルに接続された様子を例示する斜視図である。
【図１５】図１５は、図１の携帯型情報コード読取装置において、ケース内に収容された部品をケース前方側から見た図であり、ケース内に収容された撮像部やレンズ等の構成を例示する図である。
【図１６】図１６は、図１の携帯型情報コード読取装置において、ケースから保持部材が離脱した状態を示す説明図である。
【図１７】図１７は、図１の携帯型情報コード読取装置において、ケースに保持部材が取り付けられ、その保持部材にケーブルが保持された状態を示す説明図である。
【図１８】図１８は、図１の携帯型情報コード読取装置において、使用者への取付部の取り付け方を説明する説明図である。
【図１９】図１９は、図１の携帯型情報コード読取装置において、使用者に取付部が取り付けられた状態を、使用者の顔の前側から示す説明図である。
【図２０】図２０は、図１の携帯型情報コード読取装置において、ケースに保持部材が取り付けられ、その保持部材にケーブルが保持された状態で装置本体を取付部に取り付けた様子を示す斜視図である。
【図２１】図２１は、図１の携帯型情報コード読取装置において、取付部に取り付けられたケースの向きを微調整する様子を説明する説明図である。
【図２２】図２２は、図１の携帯型情報コード読取装置において、装置本体と電気的に接続される外部装置等を概略的に示す斜視図である。
【図２３】図２３は、図１の携帯型情報コード読取装置において、装置本体を外部機器に接続する様子を説明する説明図である。
【図２４】図２４（Ａ）は、第１実施形態に係る携帯型情報コード読取装置において、装置本体を右側装着部に取り付ける様子を概念的に説明する説明図であり、図２４（Ｂ）は、その取付後の装着状態を概念的に説明する説明図である。
【図２５】図２５（Ａ）は、第１実施形態に係る携帯型情報コード読取装置において、装置本体を左側装着部に取り付ける様子を概念的に説明する説明図であり、図２５（Ｂ）は、その取付後の装着状態を概念的に説明する説明図である。
【図２６】図２６（Ａ）は、第２実施形態に係る携帯型情報コード読取装置において、装置本体を右側装着部に取り付ける様子を概念的に説明する説明図であり、図２６（Ｂ）は、その取付後の装着状態を概念的に説明する説明図である。
【図２７】図２７（Ａ）は、第２実施形態に係る携帯型情報コード読取装置において、装置本体を左側装着部に取り付ける様子を概念的に説明する説明図であり、図２７（Ｂ）は、その取付後の装着状態を概念的に説明する説明図である。
【図２８】図２８（Ａ）は、第３実施形態に係る携帯型情報コード読取装置において、装置本体を右側装着部に取り付ける様子を概念的に説明する説明図であり、図２８（Ｂ）は、その取付後の装着状態を概念的に説明する説明図である。
【図２９】図２９（Ａ）は、第３実施形態に係る携帯型情報コード読取装置において、装置本体を左側装着部に取り付ける様子を概念的に説明する説明図であり、図２９（Ｂ）は、その取付後の装着状態を概念的に説明する説明図である。
【図３０】図３０（Ａ）は、第３実施形態に係る携帯型情報コード読取装置において、装置本体を右側装着部に取り付けたときの検出状態を説明する説明図であり、図３０（Ｂ）は、その携帯型情報コード読取装置において、装置本体を左側装着部に取り付けたときの検出状態を説明する説明図である。
【図３１】図３１（Ａ）は、第４実施形態に係る携帯型情報コード読取装置において、装置本体を右側装着部に取り付けたときの装着状態を説明する説明図であり、図３１（Ｂ）は、その携帯型情報コード読取装置において、装置本体を左側装着部に取り付けたときの装着状態を説明する説明図である。
【図３２】図３２（Ａ）は、第５実施形態に係る携帯型情報コード読取装置において、装置本体を右側装着部に取り付けたときの装着状態での撮像の様子を説明する説明図であり、図３２（Ｂ）は、その撮像で得られた画像を概念的に示す説明図である。
【図３３】図３３（Ａ）は、第５実施形態に係る携帯型情報コード読取装置において、装置本体を左側装着部に取り付けたときの装着状態での撮像の様子を説明する説明図であり、図３３（Ｂ）は、その撮像で得られた画像を概念的に示す説明図である。
【図３４】図３４（Ａ）は、第６実施形態に係る携帯型情報コード読取装置において、装置本体を右側装着部に取り付けたときの装着状態を説明する説明図であり、図３４（Ｂ）は、その携帯型情報コード読取装置において、装置本体を左側装着部に取り付けたときの装着状態を説明する説明図である。
【図３５】図３５（Ａ）は、第７実施形態に係る携帯型情報コード読取装置において、装置本体を右側装着部に取り付けたときの検出の様子を説明する説明図であり、図３５（Ｂ）は、その携帯型情報コード読取装置において、装置本体を左側装着部に取り付けたときの検出の様子を説明する説明図である。
【図３６】図３６（Ａ）は、第８実施形態に係る携帯型情報コード読取装置において、装置本体を右側装着部に取り付けたときの検出の様子を説明する説明図であり、図３６（Ｂ）は、その携帯型情報コード読取装置において、装置本体を左側装着部に取り付けたときの検出の様子を説明する説明図である。
【発明を実施するための形態】
【００２６】
[第１実施形態]
以下、本発明を具現化した第１実施形態について、図面を参照して説明する。
（基本構成）
図１に示すように、第１実施形態に係る携帯型情報コード読取装置１０（以下、単に情報コード読取装置１０又は読取装置１０とも称する）は、主に、装置本体１１と取付部材６０とによって構成されている。装置本体１１は、情報コードＣの画像を撮像可能な撮像部２３（図２等）と、撮像部２３によって撮像された情報コードＣの画像を処理する処理部（制御回路４０（図２））と、撮像部２３及び処理部を保持するケース１２とを備えた構成となっている。また、読取装置１０は、ケース１２と一体的又はケース１２とは別体として設けられると共に使用者の顔が向く側を撮像する構成で撮像部２３を使用者に取り付ける取付部材６０を備えている。この取付部材６０は、撓み変形可能な可撓性の身体装着部（装着部）６２と、ケース１２が着脱される装着部６６とを有し、使用者の人体に掛けられる構成となっており、ケース１２を使用者のいずれか一方の耳に取り付けるように機能するものである。
【００２７】
まず、情報コード読取装置１０の電気的構成について説明する。図２に示すように、情報コード読取装置１０は、ハードウェア的には二次元コードを読取可能なコードリーダとして構成されており、ケース１２によって外郭が構成され、このケース１２内に各種電子部品が収容された構成をなしている。
【００２８】
図２のように、情報コード読取装置１０は、主に、照明光源２１、マーカ光照射部９８、撮像部２３、フィルタ２５、結像レンズ２７等の光学系と、メモリ３５、制御回路４０、操作スイッチ４２等のマイクロコンピュータ（以下「マイコン」という）系と、電源スイッチ４１、電池４９等の電源系と、から構成されている。なお、これらは、図略のプリント配線板に実装あるいはケース１２内に内装されている。
【００２９】
光学系は、照明光源２１、撮像部２３、フィルタ２５、結像レンズ２７、マーカ光照射部９８等から構成されている。照明光源２１は、照明光Ｌｆを発光可能な照明光源として機能するもので、例えば、所定色のＬＥＤとこのＬＥＤの出射側に設けられる拡散レンズ、集光レンズ等とから構成されている。本実施形態では、ケースに形成された読取口１４を介して読取対象物Ｒに向けて照明光Ｌｆを照射可能に構成されている。この読取対象物Ｒとしては、例えば、樹脂材料、金属材料、情報機器等の様々な対象が考えられ、このような読取対象物Ｒに例えば図２のような情報コードＣが印刷、ダイレクトマーキング、画像表示などによって形成されている。なお、読み取り対象となる情報コードＣの種類はバーコードなどの一次元コードであってもよく、ＱＲコード（登録商標）、データマトリックスコート、マキシコードなどの二次元コードであってもよい。また、マーカ光照射部９８は、公知のマーカ光源等によって構成されており、照明光源２１が光を照射する側と同じ側に、例えば指向性の高いマーカ光Ｍｋを照射するように構成されている。
【００３０】
撮像部２３は、情報コードＣを撮像可能な受光センサ（例えば、Ｃ−ＭＯＳやＣＣＤ等の受光素子を２次元に配列したエリアセンサ等）によって構成され、読取対象物Ｒや情報コードＣに照射されて反射した反射光Ｌｒを受光可能に構成されるものである。この撮像部２３は、結像レンズ２７を介して入射する入射光を受光面２３ａで受光可能に配置されている。
【００３１】
フィルタ２５は、例えば反射光Ｌｒの波長相当以下の光の通過を許容し、当該波長相当を超える光の通過を遮断し得る光学的なローパスフィルタで、ケース１２に形成された読取口１４と結像レンズ２７との間に設けられている。これにより、反射光Ｌｒの波長相当を超える不要な光が撮像部２３に入射することを抑制している。また、結像レンズ２７は、例えば、鏡筒とこの鏡筒内に収容される複数の集光レンズとによって構成されており、本構成では、ケース１２に形成された読取口１４に入射する反射光Ｌｒを集光し、撮像部２３の受光面２３ａに情報コードＣのコード画像を結像するように構成されている。
【００３２】
マイコン系は、増幅回路３１、Ａ／Ｄ変換回路３３、メモリ３５、アドレス発生回路３６、同期信号発生回路３８、制御回路４０、操作スイッチ４２、マイク４３、発音部４４、センサ部４６、通信部４８等から構成されている。このマイコン系は、マイコン（情報処理装置）として機能し得る制御回路４０及びメモリ３５を中心として構成され、前述した光学系によって撮像された情報コードＣの画像信号をハードウェア的およびソフトウェア的に信号処理し得るものである。
【００３３】
光学系の撮像部２３から出力される画像信号（アナログ信号）は、増幅回路３１に入力されることで所定ゲインで増幅された後、Ａ／Ｄ変換回路３３に入力され、アナログ信号からディジタル信号に変換される。そして、ディジタル化された画像信号、つまり画像データ（画像情報）は、メモリ３５に入力され、当該メモリ３５の画像データ蓄積領域に蓄積される。なお、同期信号発生回路３８は、撮像部２３およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００３４】
メモリ３５は、半導体メモリ装置などによって構成され、例えばＲＡＭ（ＤＲＡＭ、ＳＲＡＭ等）やＲＯＭ（ＥＰＲＯＭ、ＥＥＰＲＯＭ等）等がこれに相当する。このメモリ３５のうちのＲＡＭには、前述した画像データ蓄積領域のほかに、制御回路４０が算術演算や論理演算等の各処理時に利用する作業領域や読取条件テーブルも確保可能に構成されている。またＲＯＭには、後述する読取処理等を実行可能な所定プログラムやその他、照明光源２１、撮像部２３等の各ハードウェアを制御可能なシステムプログラム等が予め格納されている。
【００３５】
制御回路４０は、情報コード読取装置１０全体を制御可能なマイコンで、ＣＰＵ、システムバス、入出力インタフェース等からなるものであり、情報処理機能を有している。この制御回路４０には、内蔵された入出力インタフェースを介して種々の入出力装置（周辺装置）が接続されており、本構成の場合、電源スイッチ４１、操作スイッチ４２、マイク４３、発音部４４、センサ部４６、通信部４８等が接続されている。また、通信部４８は、有線通信又は無線通信を行う公知の通信インタフェースとして構成されており、ケース１２の外側に設けられた外部装置と通信を行い、外部装置への情報送信又は外部装置からの情報受信を行うように機能している。なお、図２の例では、「外部装置」として、情報コード読取装置１０の上位システムに相当するコンピュータＨＳＴ（据置型のパーソナルコンピュータや携帯型のパーソナルコンピュータ等）などの情報処理装置と、例えば無線通信方式にて通信可能に接続されている。なお、外部装置の例はこれに限られず、例えば、読取装置１０とケーブル９２によって接続された携帯型の情報処理装置と通信可能に接続されていてもよい。
【００３６】
電源系は、電源スイッチ４１、電池４９等により構成されており、制御回路４０により管理される電源スイッチ４１のオンオフによって、上述した各装置や各回路に、電池４９から供給される駆動電圧の導通や遮断が制御されている。なお、電池４９は、所定の直流電圧を発生可能な２次電池で、例えば、リチウムイオン電池等がこれに相当する。なお、電池４９は、ケース１２内に設けられていてもよく、ケース１２とケーブル９２で接続された携帯型の別機器内に設けられていてもよい。
【００３７】
次に、装置本体１１の構成について説明する。
装置本体１１は、ケース１２の内部に図２に示す各種電子部品が収容されてなるものであり、本構成では、取付部材６０に対して図１、図３、図４〜図７のように装着可能とされており、図９、図１０のように離脱可能とされている。
【００３８】
図１２〜図１４等に示すように、ケース１２は、全体として長手状且つ箱状に構成されている。なお、本構成では、装置本体１１の前後方向、幅方向（横方向）、上下方向を以下のように規定する。まず、撮像部２３の視野範囲の中心の方向（光軸方向）を前後方向としており、ケース１２の長手方向が前後方向となっている。そして、前後方向と直交する方向においてケース１２の厚さ方向が幅方向（横方向）となっており、ケース１２の対向壁部１２ａと、対向壁部１２ａの反対側の壁部（表側の側壁部１２ｂ）とが向かい合う方向が幅方向（横方向）となっている。そして、上記前後方向及び幅方向と直交する方向が上下方向となっている。なお、以下では、前後方向をＸ軸方向とし、上下方向をＹ軸方向とし、幅方向（横方向）をＺ軸方向として説明する。そして、前方向をＸ軸正方向、後ろ方向をＸ軸負方向とする。更に、上方向をＹ軸正方向、下方向をＹ軸負方向とする。そして、ケース１２側から見て取付部材６０側をＺ軸負方向とし、取付部材６０とは反対側をＺ軸正方向とする。
【００３９】
図１０、図１２〜図１４のように、ケース１２は、このような定義において前端部に前壁部１２ｃが設けられ、後端部に後壁部１２ｄが設けられている。更に、幅方向（左右方向）一方側（取付部材６０側）に側壁部（対向壁部１２ａ）が設けられ、これとは反対側に表側の側壁部１２ｂが設けられている。更に、上下方向の一端部には壁部１２ｅが設けられ、上下方向の他端部には壁部１２ｆが設けられている。そして、これら前壁部１２ｃ、後壁部１２ｄ、側壁部（対向壁部１２ａ）、側壁部１２ｂ、壁部１２ｅ、壁部１２ｆにより、前後左右及び上下が囲まれる箱状構成で、撮像部２３や制御回路４０などの電子部品を収容する収容部が構成されている。
【００４０】
また、本構成では、使用者の顔Ｆａを基準として顔Ｆａが向く方向を顔Ｆａの前側、後頭部側を顔Ｆａの後ろ側として説明する。
【００４１】
このケース１２は、情報コードからの光を導入可能な読取口１４を備えており、この読取口１４を覆う構成で光透過性のカバー部材１５が設けられている。また、図５、図８等に示すように、ケース１２は、取付部材６０への装着位置から所定方向に延びる延出部１７（取付部材６０に当接する部分から前側に延びる部分）を備え、且つその延出部１７における取付部材６０とは反対側の端部寄りに読取口１４が設けられている。そして、この読取口１４を覆うカバー部材１５が前壁部１２ｃとして構成されている。そして、取付部材６０は、図３、図８のようにケース１２が使用者の顔Ｆａの横位置に配置され且つ読取口１４が使用者Ｐの前側を向く構成で当該ケース１２を使用者Ｐの耳Ｅｙに取り付ける構成となっている。このように、使用者の顔が向く側と同じ側に撮像部２３が向くように取付部材６０によってケース１２が取り付けられている。
【００４２】
また、ケース１２において上下方向一方側の壁部１２ｅには、外部操作（例えば、上下方向の押圧操作）が可能な操作スイッチ（第１操作部４２ａ）が設けられており、他方側の壁部１２ｆには、外部操作（例えば、上下方向の押圧操作）が可能な操作スイッチ（第２操作部４２ｂ）が設けられている。これら第１操作部４２ａ、第２操作部４２ｂは、図２の操作スイッチ４２の具体例に示すものである。
【００４３】
また、ケース１２の内部には、図１５のように照明光を照射する照明光源２１、マーカ光を照射するマーカ光照射部９８、ケース１２の外部を撮像する撮像部２３が設けられており、照明光源２１からの照明光及びマーカ光照射部９８からのマーカ光はいずれも、読取口１４を介して前壁部１２ｃからケース１２の前側に照射されるようになっている。また、本構成では、撮像部２３及び結像レンズ２７が上下方向中心部よりもやや上寄りに配置され、受光光軸Ｇが上下方向中心部よりもやや上寄りに位置している。また、照明光源２１は、上下方向中心部よりも下寄りに配置されており、照明光源２１と撮像部２３の間にマーカ光照射部９８が配置されるようになっている。図１５のように、前壁部１２ｃ寄りの位置には、結像レンズ２７、マーカ光照射部９８のレンズ５０ａ、照明光源２１のレンズ２１ａが配置されており、照明光源２１のレンズ２１ａよりもマーカ光照射部９８のレンズ５０ａのほうが、結像レンズ２７（受光レンズ）に近い位置関係となっている。これにより、マーカ光の経路を、より受光光軸Ｇに近づけることができるようになっている。
【００４４】
次に、取付部材６０について説明する。
図１、図３〜図８等に例示されるように、取付部材６０は、撓み変形可能な可撓性の身体装着部６２と、ケース１２が着脱される装着部６６とを備えており、ケース１２とは別体として設けられている。この取付部材６０は、使用者の人体に掛けられて人体に保持される部分であり、具体的には、使用者の首から上の部分において体の構造上突出した部分（以下の例では、両耳部分）に掛けられることで、人体に保持されると共に人体の所定位置に位置決めされるようになっている。図３、図８等に示すように、この取付部材６０は、ケース１２が使用者の顔Ｆａの横位置に配置されると共に使用者の顔Ｆａが向く側に読取口１４が向く構成でケース１２を少なくとも使用者の耳Ｅｙに取り付ける構成となっている。
【００４５】
身体装着部６２は、少なくとも一部が使用者に直接接触して装着される部分であり、具体的には、使用者の両耳に掛けられる耳掛け部として構成されている。この身体装着部６２は、図１、図４〜図７のように、使用者に取り付けられていない被装着時の自然状態において所定形状で維持される構成であり、且つ弾性変形可能に構成され、可撓性の構造となっている。この身体装着部６２は、後述する右側装着部７０及び左側装着部８０のそれぞれに両端部がそれぞれ連結された構成となっており、全体として略Ｕ字状の構成となっている。この身体装着部６２には、使用者への装着時に上方側に凸となるように右側装着部７０寄りの隣接位置に湾曲して形成された右耳取付部（右耳掛け部）６２ａと、右耳取付部６２ａから離れて形成されると共に上方側に凸となるように左側装着部８０寄りの隣接位置に湾曲して形成された左耳取付部（左耳掛け部）６２ｂと、これら右耳取付部６２ａと左耳取付部６２ｂとを連結する中間連結部６２ｃとを備えている。中間連結部６２ｃは、図３等のように取付部材６０を使用者の耳に掛けて装着したときに、使用者の後頭部又は首に当てられるように巻き付く部分である。
【００４６】
装着部６６は、使用者の顔の右側に配置されると共にケースを着脱可能な右側装着部７０と、使用者の顔の左側に配置されると共にケースを着脱可能な左側装着部８０とを有している。本構成では、身体装着部６２において、使用者の右耳に掛けられて右耳に支持される右耳取付部６２ａ（右耳取付部６２ａは、被支持部の一例に相当）から前側延出部６３ａが前側（中間連結部６２ｃとは反対側）に延びている。そして、右側装着部７０は、身体装着部６２における前側延出部６３ａの先端部に連結されてケース１２を保持する保持部として機能している。この構成では、図３、図８のように使用者に取付部材６０を取り付けた取付時に、前側延出部６３ａが右耳取付部６２ａ（被支持部）よりも前側に延びて配置され、右耳取付部６２ａ（被支持部）を支持する使用者の右耳の耳孔よりも前位置に右側装着部７０（保持部）が配置される構成となっている。
【００４７】
右側装着部７０（保持部）は、図３、図８のような人体への装着時に右耳の耳孔よりも前位置において使用者の顔に対向して支持される裏面部７１と、裏面部７１の反対側に配置された表面部７２とを備えている。裏面部７１と表面部７２は、いずれも外面が平坦に構成されており、例えば、裏面部７１の外面（使用者の顔に支持される面）と表面部７２の外面（ケース１２の取付時にケース１２と接触する面）とが略平行になっている。裏面部７１と表面部７２の間の厚さは、右耳取付部６２ａの太さよりも大きくなっており、図５等に示すように、表面部７２側が、右耳取付部（右耳掛け部）６２ａよりも横に突出した構成となっている。そして、このように構成される右側装着部７０により、ケース１２を表面部７２で保持する構成となっている。なお、保持構造については、後に詳述する。
【００４８】
図４等に示すように、右側と同様、身体装着部６２において、使用者の左耳に掛けられて左耳に支持される左耳取付部６２ｂ（左耳取付部６２ｂは、被支持部の一例に相当）から前側延出部６３ｂが前側（中間連結部６２ｃとは反対側）に延びている。そして、左側装着部８０は、身体装着部６２における前側延出部６３ｂの先端部に連結されてケース１２を保持する保持部として機能している。この構成では、図３、図８のように使用者に取付部材６０を取り付けた取付時に、前側延出部６３ｂが左耳取付部６２ｂ（被支持部）よりも前側に延びて配置され、左耳取付部６２ｂ（被支持部）を支持する使用者の左耳の耳孔よりも前位置に左側装着部８０（保持部）が配置される構成となっている。
【００４９】
左側装着部８０（保持部）は、図３、図８のような人体への装着時に左耳の耳孔よりも前位置において使用者の顔に対向して支持される裏面部８１と、裏面部８１の反対側に配置された表面部８２とを備えている。裏面部８１と表面部８２は、いずれも外面が平坦に構成されており、例えば、裏面部８１の外面（使用者の顔に支持される面）と表面部８２の外面（ケース１２の取付時にケース１２と接触する面）とが略平行になっている。裏面部８１と表面部８２の間の厚さは、左耳取付部６２ｂの太さよりも大きくなっており、図５等に示すように、表面部８２側が、左耳取付部（左耳掛け部）６２ａよりも横に突出した構成となっている。そして、このように構成される左側装着部８０により、ケース１２を表面部８２で保持する構成となっている。なお、保持構造については、後に詳述する。
【００５０】
図１０、図１１、図１３のように、ガイド部５０は、取付部材６０に設けられた各装着部６６に対してケース１２を着脱可能に連結し、且つその連結の際に各装着部６６に対するケース１２の姿勢が所定姿勢となるようにガイドするように機能する。このガイド部５０は、ケース１２側に設けられた２つのケース側連結部（第１ケース側連結部５１及び第２ケース側連結部５２）と、右側装着部側（右側装着部７０側）に設けられた少なくとも２つの右側連結部（第１右側連結部７３ａ，第２右側連結部７３ｂ）と、左側装着部側（左側装着部８０側）に設けられた少なくとも２つの左側連結部（第１左側連結部８３ａ，第２左側連結部８３ｂ）とを備えている。そして、少なくとも２つのケース側連結部（第１ケース側連結部５１及び第２ケース側連結部５２）と少なくとも２つの右側連結部（第１右側連結部７３ａ，第２右側連結部７３ｂ）とがそれぞれ連結されることによりケース１２が右側装着部７０に取り付けられ、少なくとも２つのケース側連結部（第１ケース側連結部５１及び第２ケース側連結部５２）と少なくとも２つの左側連結部（第１左側連結部８３ａ，第２左側連結部８３ｂ）とがそれぞれ連結されることによりケース１２が左側装着部（第１左側連結部８３ａ，第２左側連結部８３ｂ）に取り付けられる構成となっている。
【００５１】
図１０、図１１、図１３のように、本構成では、２つのケース側連結部（第１ケース側連結部５１及び第２ケース側連結部５２）と２つの右側連結部（第１右側連結部７３ａ，第２右側連結部７３ｂ）が第１ガイド部に相当し、右側装着部７０に対してケース１２を着脱可能に連結し、且つ右側装着部７０に対してケース１２を連結した際に右側装着部７０に対するケース１２の姿勢が第１所定姿勢となるようにガイドする。また、２つのケース側連結部（第１ケース側連結部５１及び第２ケース側連結部５２）と、２つの左側連結部（第１左側連結部８３ａ，第２左側連結部８３ｂ）が、第２ガイド部に相当し、左側装着部８０に対してケース１２を着脱可能に連結し、且つ左側装着部８０に対してケース１２を連結した際に左側装着部８０に対するケース１２の姿勢が第２所定姿勢となるようにガイドする。
【００５２】
図１０、図１１、図１３のように、本構成では、２つのケース側連結部として、永久磁石として構成される第１ケース側連結部５１と、永久磁石として構成される第２ケース側連結部５２とが設けられる。また、２つの右側連結部として、永久磁石として構成される第１右側連結部７３ａと、永久磁石として構成される第２右側連結部７３ｂとが設けられ、２つの左側連結部として、永久磁石として構成される第１左側連結部８３ａと、永久磁石として構成される第２左側連結部８３ｂとが設けられる。そして、第１ケース側連結部５１は、第１右側連結部７３ａ及び第１左側連結部８３ａと極性が異なり、且つ第２右側連結部７３ｂ及び第２左側連結部８３ｂと極性が同じであり、第２ケース側連結部５２は、第２右側連結部７３ｂ及び第２左側連結部８３ｂと極性が異なり、第１右側連結部７３ａ及び第１左側連結部８３ａと極性が同じになっている。
【００５３】
この構成では、第１ケース側連結部５１と第１右側連結部７３ａとの極性が互いに異なり、これら第１ケース側連結部５１と第１右側連結部７３ａとが互いに吸引して連結される構成となっている。例えば、第１ケース側連結部５１は、表面部がＮ極として構成された永久磁石として構成され、第１右側連結部７３ａは、表面部がＳ極として構成された永久磁石として構成されており、互いの表面部が対向したときに吸引し合うようになっている。また、第２ケース側連結部５２と第２右側連結部７３ｂとの極性が互いに異なり、これら第２ケース側連結部５２と第２右側連結部７３ｂとが互いに吸引して連結される構成となっている。例えば、第２ケース側連結部５２は、表面部がＳ極として構成された永久磁石として構成され、第２右側連結部７３ｂは、表面部がＮ極として構成された永久磁石として構成されており、互いの表面部が対向したときに吸引し合うようになっている。
【００５４】
更に、第１ケース側連結部５１と第２右側連結部７３ｂとが同極性であり、第２ケース側連結部５２と、第１右側連結部７３ａとが同極性である。上述の例では、第１ケース側連結部５１は、表面部がＮ極として構成され、第２右側連結部７３ｂも、表面部がＮ極として構成されているため、互いの表面部が対向したときに反発し合うようになっている。また、第２ケース側連結部５２は、表面部がＳ極として構成され、第１右側連結部７３ａも、表面部がＳ極として構成されているため、互いの表面部が対向したときに反発し合うようになっている。
【００５５】
右側と同様に、第１ケース側連結部５１と第１左側連結部８３ａとの極性が互いに異なり、これら第１ケース側連結部５１と第１左側連結部８３ａとが互いに吸引して連結される構成となっている。例えば、第１ケース側連結部５１は、表面部がＮ極として構成された永久磁石として構成され、第１左側連結部８３ａは、表面部がＳ極として構成された永久磁石として構成されており、互いの表面部が対向したときに吸引し合うようになっている。また、第２ケース側連結部５２と第２左側連結部８３ｂとの極性が互いに異なり、これら第２ケース側連結部５２と第２左側連結部８３ｂとが互いに吸引して連結される構成となっている。例えば、第２ケース側連結部５２は、表面部がＳ極として構成された永久磁石として構成され、第２左側連結部８３ｂは、表面部がＮ極として構成された永久磁石として構成されており、互いの表面部が対向したときに吸引し合うようになっている。
【００５６】
更に、第１ケース側連結部５１と第２左側連結部８３ｂとが同極性であり、第２ケース側連結部５２と、第１左側連結部８３ａとが同極性である。上述の例では、第１ケース側連結部５１は、表面部がＮ極として構成され、第２左側連結部８３ｂも、表面部がＮ極として構成されているため、互いの表面部が対向したときに反発し合うようになっている。また、第２ケース側連結部５２は、表面部がＳ極として構成され、第１左側連結部８３ａも、表面部がＳ極として構成されているため、互いの表面部が対向したときに反発し合うようになっている。
【００５７】
このようなガイド部５０によってケース１２を各装着部６６に取り付けることができるようになっており、取付時にケース１２の向き（即ち、読取方向の向き）が安定するようになっている。また、装着部６６及びガイド部５０により、ケース１２の前側部分（ケース１２において、装着部６６に支持される部分よりも前側に延び出た延出部）が使用者の耳から少なくとも前側に延びる構成でケース１２を使用者の耳に取り付けることができるようになっている。
【００５８】
また、ケース１２における使用者側の側壁部（対向壁部１２ａ）には、右側装着部７０に形成された右側被嵌合部（表面部７２）と嵌合可能に構成され、左側装着部８０に形成された左側被嵌合部（表面部８２）と嵌合可能に構成された底の浅い穴状（具体的には、ケース内側に凹んだ形状）の段差部１３（嵌合部）が形成されており、ケース１２が右側装着部７０に取り付けられる時に、段差部１３（嵌合部）と右側被嵌合部（表面部７２）とが嵌合し、ケース１２が左側装着部８０に取り付けられる時に、段差部１３（嵌合部）と左側被嵌合部（表面部８２）とが嵌合する構成となっている。そして、凹んだ形状の段差部１３の奥底部に２つのケース側連結部５１、５２が配置されており、嵌合時には表面部７２又は表面部８２が段差部１３の凹みの内部に入り込み、その段差部１３の奥底部に当接して嵌合するようになっている。これにより、磁石による位置保持だけでなく、嵌合による位置保持もなされ、装着時にケース１２が大きく位置ずれしにくくなっている。特に、第１操作部４２ａや第２操作部４２ｂを押したときの位置ずれ抑制効果が高い構造となっている。
【００５９】
また、ケース１２において取付部材６０に取り付けられる側の壁部（対向壁部１２ａ）には、音を導出する複数の導出孔２０が形成されている。この導出孔２０は、ケース１２の内部に設けられた発音部４４（スピーカ等：図２）で発せられた音を外部に導出する放音孔として機能している。本構成では、ケース１２が取付部材６０に取り付けられた取り付け時には、取付部材６０の一部をなす被覆部（具体的には、表面部７２，８２）によって導出孔２０の少なくとも一部（例えば全部）が覆われ、ケース１２が取付部材６０から取り外された取り外し時には、導出孔２０において取り付け時に被覆部によって覆われる部分が露出する構成となっている。例えば、図３等のように、ケース１２が、右側装着部７０に取り付けられたときには、右側装着部７０の表面部７２によって導出孔２０の全部が覆われ、音の放出が抑制されるようになっている。一方、このような取付状態を解除し、ケース１２が右側装着部７０から取り外された取り外し時には、導出孔２０において取り付け時に表面部７２によって覆われる部分が露出する構成となっている。左側も同様であり、ケース１２が、左側装着部８０に取り付けられたときには、左側装着部８０の表面部８２によって導出孔２０の全部が覆われ、音の放出が抑制されるようになっている。一方、このような取付状態を解除し、ケース１２が左側装着部８０から取り外された取り外し時には、導出孔２０において取り付け時に表面部８２によって覆われる部分が露出する構成となっている。なお、図１３における二点鎖線６６ａの位置が、ケース１２を装着部６６に取り付けているときに表面部７２又は表面部８２に接触し、表面部７２又は表面部８２によって覆われる位置である。
【００６０】
また、本構成では、図１２〜図１４のように、装置本体１１を取付部材６０から取り外し、取付部材６０とは別で装置本体１１を使用したり、メンテナンスしたりすることができる。そして、この装置本体１１は、ケース１２に対して、ケーブル９２を保持する保持部材９０が取り付けられた構成となっており、この保持部材９０は、図９、図１６のように、着脱が可能な構成となっている。また、この保持部材９０には、ケーブル９２と嵌合してケーブル９２を支持するケーブル支持部９１が形成されており、図１４のように、ケーブル支持部９１からケーブル９２を取り外して使用したり、管理したりすることもでき、図１７、図２０のように、ケーブル支持部９１でケーブル９２を保持して使用したり、管理したりすることもできるようになっている。また、本構成では、図２１のように、ケーブル支持部９１が被取付部（ケース１２において、取付部材６０に保持される部分）の真裏の位置に配置され、ケーブル支持部９１によってケーブル９２がモーメントの中心部付近で保持されるため、ケーブル９２が引っ張られたとしても、ケース１２の向きが矢印のように変化しにくい構成となっている。
【００６１】
読取装置１０を使用者に取り付ける場合、図１８、図１９のように、先に取付部材６０を使用者の両耳に掛け、その後、例えば図３、図８のように、右側装着部７０又は左側装着部８０のいずれかに装置本体１１を取り付けるようにすれば、迅速且つ容易に取り付けることができる。また、このような方法に限られず、図２０のように組み付けた後に、読取装置１０を使用者に取り付けるようにしてもよい。
【００６２】
本構成に係る読取装置は、図３、図８のような装着方法、使用方法に限られず、様々な使用方法で使用することができる。例えば、ケーブル９２に接続される外部装置Ｄ（図２２）は、図３のように、腰に掛けて使用してもよく、使用者のそれ以外の部分に装着して使用してもよい。例えば、外部装置Ｄをズボンのポケットに入れて使用してもよい。
【００６３】
また、本構成では、図２２のように、ケーブル９２は、外部装置Ｄ（読取作業の使用時に用いられる外部装置）に着脱可能に取り付けられるようになっており、図２３のように、外部装置Ｄから取り外して外部装置Ｄとは異なる外部機器ＰＣなどにも接続できるようになっている。外部装置Ｄの機能な様々であるが、装置本体１１に電力を供給する供給源として機能していてもよく、装置本体１１から情報（装置本体１１で情報コードを解読したときの解読データ等）を記憶する記憶媒体として機能していてもよい。或いは、外部装置ＤにＣＰＵ等の制御回路を搭載しておき、撮像部２３で撮像されたコード画像を外部装置Ｄでデコードするようにしてもよい。
【００６４】
次に、本構成に係る読取装置１０による情報コードＣの読取処理について説明する。読取装置１０では、所定のトリガ条件の成立毎に、又は所定の開始条件の成立後に継続的に情報コードの読み取り処理を行うことができるようになっている。例えば、操作スイッチ４２が押されたことを撮像開始のトリガとし、操作スイッチ４２が押された後に継続的に撮像部２３による撮像処理を行い、情報コードが撮像部２３の撮像範囲に入り込む毎にその情報コードを読み取るようにしてもよい。
【００６５】
なお、撮像部２３による撮像開始のトリガは操作スイッチ４２による上述の方法に限られない。例えば、操作スイッチ４２とは異なるセンサ部４６によって所定状態が検出されたことを条件として読み取りを開始するようにしてもよい。具体例としては、ケース１２の前方方向に物体が近接したことを検出する公知の近接センサを設け、物体が近接したときに照明光源２１及びマーカ光照射部９８や撮像部２３を動作させて撮像し、解読を行うような例が挙げられる。或いは、マイクから入力され音声を解析し、所定音声に該当するか否か（例えば一定量以上の音量が検出されたか否か、或いは所定波形の音声が検出されたか否か）を判断するようにすればよい。この場合、この判断処理は、読取装置１０で行ってもよく、外部装置で行ってもよい。
【００６６】
読取装置１０では、読取処理の開始に伴い、撮像部２３によって継続的に撮像範囲を撮像し、画像の取り込み処理を行う。この処理では、継続的に撮像される各撮像画像に対して所定の解析処理を行い、予め定められた１又は複数種類の情報コードの認識を試みる。例えば、公知のＱＲコード（登録商標）が読取対象として予定されている場合、ＱＲコードで定められた公知の方式で位置検出パターンの検出を試み且つ情報コードの外形を認識する。そして、このように認識された情報コードＣに対して制御回路４０が公知のデコード処理を行い、この情報コードＣを解読する。そして、デコードが成功した場合には、デコードした解読データの記憶、デコードした解読データを外部装置に送信する処理、デコードが成功した旨の報知などを行う。なお、デコードが失敗した場合には、所定のエラー報知（例えば、所定のブザー音などによるエラー報知）等を行うようにしてもよい。
【００６７】
本構成では、制御回路４０が「処理部」の一例に相当し、撮像部２３によって撮像された画像に対して所定処理を行うように構成されている。なお、上述の例では「処理部」に相当する制御回路４０が行う「所定処理」として情報コードのデコード処理を挙げているが、所定処理は、撮像された画像に対する何らかの処理であればよい。例えば、情報コードの画像をメモリ３５に記憶する記憶処理であってもよく、情報コードのデコードを試みた場合のデコード結果（デコードによって得られた解読データやデコードが失敗した旨の履歴データなど）をメモリ３５に記憶する処理であってもよく、デコード結果を発音部４４などによって発音して報知する処理であってもよい。或いは、所定処理は、撮像された情報コードの画像をケース１２から離れた外部装置に対して送信する処理であってもよく、情報コードについての上述のデコード結果を外部装置に対して送信する処理などであってもよい。
【００６８】
（設定処理）
次に、読取装置１０で行われる設定処理について説明する。
本構成では、上述した撮像部２３や制御回路４０（処理部）などがケース１２に収容されつつ保持された構成で装置本体１１が構成されている。一方、使用者の身体又は使用者の装着物に取り付けられる取付部材６０が装置本体１１とは別体として設けられ、装置本体１１が着脱される装着部６６（取付部）を備えている。そして、装置本体１１が、複数の取付部（右側装着部７０及び左側装着部８０）に対して着脱可能とされている。更に、装着部６６（取付部）に取り付けられる装置本体１１の装着状態を検出する装着状態検出部と、装着状態検出部での検出結果に基づいて、装置本体１１内の設定を切り替える設定切替部とが設けられている。以下では、装着状態検出部や設定切替部の具体的内容について重点的に説明する。
【００６９】
基本構成でも説明したが、読取装置１０は、図１等で示すように、取付部材６０において取付部としての装着部６６が設けられ、この装着部６６は、第１取付部としての右側装着部７０と、第２取付部としての左側装着部８０とを備えている。そして、装置本体１１を、右側装着部７０及び左側装着部８０のいずれにも装着できるようになっている。この構成では、図２４（Ａ）のように、装置本体１１が右側装着部７０（第１取付部）に取り付けられた場合には、図２４（Ｂ）のように所定の第１装着状態となり（図５等も参照）、図２５（Ａ）のように、装置本体１１が左側装着部８０（第２取付部）に取付られた場合には、図２５（Ｂ）のように所定の第２装着状態となる（図７等も参照）。
【００７０】
そして、装置本体１１には、外部操作可能な複数の操作部として、１又は複数の第１操作領域が構成された所定の第１操作部４２ａと、第１操作部４２ａとは異なる１又は複数の第２操作領域が構成された第２操作部４２ｂとが設けられている。なお、図２４、図２５等で示す例では、１つの押しボタンによって１つの操作領域が構成された第１操作部４２ａと、１つの押しボタンによって１つの操作領域が構成された第２操作部４２ｂとを例示しているが、この例に限られるものではない。例えば、複数の操作スイッチによって複数の操作領域が構成された形で第１操作部が構成され、複数の操作スイッチによって複数の操作領域が構成された形で第２操作部が構成されていてもよい。
【００７１】
そして、図２４（Ｂ）のように、装置本体１１が右側装着部７０（第１取付部）に対して第１装着状態で装着された場合には、第１操作部４２ａが第２操作部４２ｂよりも上方に配置される。また、図２５（Ｂ）のように、装置本体１１が左側装着部８０（第２取付部）に対して第２装着状態で装着された場合には、第２操作部４２ｂが第１操作部４２ａよりも上方に配置される構成となっている。なお、第１装着状態は、装置本体１１が右側装着部７０（第１取付部）に装着されるときの正規の装着状態であり、具体的には、磁石５１と磁石７３ａとが近接しつつ吸引し合い、磁石５２と磁石７３ｂとが近接しつつ吸引し合う状態である。第２装着状態は、装置本体１１が左側装着部８０（第２取付部）に装着されるときの正規の装着状態であり、具体的には、磁石５１と磁石８３ａとが近接しつつ吸引し合い、磁石５２と磁石８３ｂとが近接しつつ吸引し合う状態である。
【００７２】
そして、このような基本構成を前提として、装着状態検出部に相当するセンサ部１００及び制御回路４０は、装着部６６（取付部）に取り付けられる装置本体１１の装着状態が第１装着状態又は第２装着状態のいずれであるかを検出する。具体的には、取付部材６０において、１又は複数の磁石（例えば磁石７３ａ，７３ｂ，８３ａ，８３ｂ）からなる磁石部が設けられ、装着状態検出部として、１又は複数のセンサからなるセンサ部１００が設けられている。この構成では、装着部６６（取付部）に対する装置本体１１の装着状態に応じて、磁石部に対するセンサ部１００の相対的な位置関係が変化するため、装着状態検出部は、センサ部１００での磁気の検出結果に基づいて装置本体１１の装着状態を検出する。
【００７３】
より具体的には、図２４（Ａ）のように右側装着部７０（第１取付部）に１又は複数の磁石からなる第１磁石部（例えば、複数の磁石７３ａ，７３ｂ）が設けられ（図１１も参照）、図２５（Ａ）のように左側装着部８０（第２取付部）に１又は複数の磁石からなる第２磁石部（例えば、複数の磁石８３ａ，８３ｂ）が設けられている（図１０も参照）。そして、図２４（Ｂ）のように、装置本体１１が右側装着部７０（第１取付部）に対して第１装着状態で装着された場合には、右側装着部７０（第１取付部）に配置される磁石部（例えば、複数の磁石７３ａ，７３ｂ）に対するセンサ部１００の相対的な位置が第１相対位置となる。具体的には、磁石７３ａが磁気センサ１０１に近接し、磁石７３ｂが磁気センサ１０２に近接する位置関係となる。一方、図２５（Ｂ）のように、装置本体１１が左側装着部８０（第２取付部）に対して第２装着状態で装着された場合に、左側装着部８０（第２取付部）に配置される磁石部（例えば、複数の磁石８３ａ，８３ｂ）に対するセンサ部１００の相対的な位置が第２相対位置となる。具体的には、磁石８３ａが磁気センサ１０１に近接し、磁石８３ｂが磁気センサ１０２に近接する位置関係となる。このように、第１装着状態と第２装着状態とでは、センサ部１００に近接する磁石の配置が異なり、センサ部１００に及ぶ磁気の影響が異なるようになっている。
【００７４】
センサ部１００は複数の磁気センサ１０１、１０２によって構成されており、装置本体１１が右側装着部７０（第１取付部）に対して第１装着状態で装着された場合、センサ部１００を構成する磁気センサ１０１、１０２にて第１磁気検出結果が得られる。即ち、磁気センサ１０１では、磁石７３ａからの磁力の影響を大きく受けた検出信号が生じ、磁気センサ１０２では、磁石７３ｂからの磁力の影響を大きく受けた検出信号が生じるような状態となる。一方、装置本体１１が左側装着部８０（第２取付部）に対して第２装着状態で装着された場合には、センサ部１００を構成する磁気センサ１０１、１０２にて第２磁気検出結果が得られる。即ち、磁気センサ１０１では、磁石８３ａからの磁力の影響を大きく受けた検出信号が生じ、磁気センサ１０２では、磁石８３ｂからの磁力の影響を大きく受けた検出信号が生じるような状態となる。そして、装着状態検出部は、センサ部１００で第１磁気検出結果が得られた場合に第１装着状態を検出し、センサ部で第２磁気検出結果が得られた場合に第２装着状態を検出する構成となっている。
【００７５】
例えば、本構成では、磁石７３ａの磁力が非常に大きく、磁石７３ｂの磁力は磁石７３ａよりも大幅に小さくなっている。一方、連結部８３ａの磁力は相対的に小さく、連結部８３ｂの磁力は連結部８３ａよりも大幅に大きくなっている。このような構成では、図２４のように右側装着部７０に装置本体１１が装着された場合には、磁気センサ１０１によって大きな磁力が検出され、磁気センサ１０２では、磁気センサ１０１での検出量よりも小さい磁力が検出されることになる。一方、図２５のように左側装着部８０に装置本体１１が装着された場合には、磁気センサ１０１によって小さな磁力が検出され、磁気センサ１０２では、磁気センサ１０１での検出量よりも大きい磁力が検出されることになる。従って、このような構成では、磁気センサ１０１で検出された磁力よりも磁気センサ１０２で検出された磁力の方が大きい場合に、制御回路４０によって第１装着状態と判定し、磁気センサ１０１で検出された磁力よりも磁気センサ１０２で検出された磁力の方が小さい場合に、制御回路４０によって第２装着状態と判定すればよい。このように、装着状態検出部に相当する制御回路４０及びセンサ部１００は、センサ部１００での検出結果に基づいて装置本体１１の装着状態を検出する。
【００７６】
次に、設定切替処理について説明する。なお、この設定切替処理は、例えば、第１装着状態又は第２装着状態のいずれかが検出されたことをトリガとして、制御回路４０によって実行することができる。
この制御回路４０は、設定切替部として機能し、上述の装着状態検出部での検出結果に基づいて装置本体１１での設定を切り替えるように動作する。具体的には、制御回路４０が機能割当部として機能し、装着状態検出部により第１装着状態が検出された場合に複数の操作部４２ａ，４２ｂの機能を第１設定とし、装着状態検出部により第２装着状態が検出された場合に複数の操作部４２ａ，４２ｂの機能を第２設定とする。
【００７７】
例えば、上述の方法により、装着状態検出部によって第１装着状態が検出された場合、機能割当部に相当する制御回路４０は、第１操作部４２ａに第１機能を割り当てると共に第２操作部４２ｂに第２機能を割り当てる。第１機能の例は様々であり、例えば、撮像開始などのトリガとなるトリガ操作を行う機能などが挙げられる。また、第２機能の例も様々であり、例えば、トリガ操作以外の選択操作を行う機能などが挙げられる。この例では、第１装着状態のときに第１操作部４２ａを押すことでトリガを与えることが可能となり、第２操作部４２ｂを押すことで様々な選択が可能となる。逆に、第２装着状態のときに第２操作部４２ｂを押すことでトリガを与えることが可能となり、第１操作部４２ａを押すことで様々な選択が可能となる。
【００７８】
なお、第１機能と第２機能の組み合わせはこの例に限られるものではなく、例えば、第１機能がトリガ操作の入力機能であり、第２機能が電源のオンオフ機能などであってもよい。或いは、第１機能がキャンセル操作の入力機能であり、第２機能が電源のオンオフ機能などであってもよい。また、第１機能は、１種類の操作内容に限られず、例えば、トリガ操作の機能や電源オンオフ操作の機能などを含んだ複数の機能であってもよい。同様に、第２機能は、１種類の操作内容に限られず、例えば、選択操作の機能と、各種の決定機能などの含んだ複数の機能であってもよい。
【００７９】
なお、メモリ３５には、第１機能がどのような機能であり、第２機能がどのような機能であるかを特定するデータが設定情報として記憶されており、第１装着状態が検出された場合には、この設定情報に従って動作するようになっている。なお、この設定情報は、ケース１２が図２３のようにコンピュータなどの外部機器ＰＣに接続された場合に、この外部機器ＰＣによって書き換えることができるようになっている。
【００８０】
一方、装着状態検出部によって第２装着状態が検出された場合に、機能割当部に相当する制御回路４０は、第１操作部４２ａに第２機能を割り当てると共に第２操作部４２ｂに第１機能を割り当てる。例えば、第１機能が上述したトリガ操作を行う機能であれば、この機能は第２操作部４２ｂによって実現されることになり、第２機能が選択操作を行う機能であれば、この機能は第１操作部によって実現されることになる。この場合、第２装着状態のときに第２操作部４２ｂを押すことでトリガ信号を与えることが可能となり、第１操作部４２ａを押すことで様々な選択が可能となる。このような例では、第１装着状態のときでも、第２装着状態のときでも、上側の操作部によって第１機能が実行され、下側の操作部によって第２機能が実行されるため、装着の切り替えによって上下が逆になる構成であっても、操作部の機能の上下関係を常に同様に維持することができる。
【００８１】
（本構成の効果の例）
本構成によれば、身体又は身体の装着品に装着して使用することが可能な携帯型情報コード読取装置１０において、装置本体１１の着脱をより簡単に行うことができると共に装置本体１１を複数の装着状態に切り替え可能を実現できる。更に、取付部に取り付けられる装置本体１１の装着状態を検出する装着状態検出部と、装着状態検出部での検出結果に基づいて、装置本体１１内の設定を切り替える設定切替部とを備えているため、装置本体１１内の設定を、装着状態に合わせて切り替えることができるようになる。従って、装着状態に関係なく設定が一律に固定化されるような構成と比較して、設定の自由度が高まり、使用者の利便性を高めやすくなる。
【００８２】
具体的には、装置本体１１において外部操作可能に設けられる複数の操作部４２ａ，４２ｂが設けられており、設定切替部は、装着状態検出部での検出結果に基づいて複数の操作部４２ａ，４２ｂのそれぞれに機能を割り当てる機能割当部を有している。この構成によれば、複数の操作部４２ａ，４２ｂを備えた構成において、複数の操作部４２ａ，４２ｂの各機能を、装置本体１１の装着状態に応じた設定とすることが可能となる。
【００８３】
より具体的には、取付部材６０において、取付部として第１取付部としての右側装着部７０と、第２取付部としての左側装着部８０とが設けられ、装置本体１１が右側装着部７０（第１取付部）に取り付けられた場合に所定の第１装着状態となり、装置本体１１が左側装着部８０（第２取付部）に取付られた場合に所定の第２装着状態となる構成である。そして、装着状態検出部は、取付部に取り付けられる装置本体１１の装着状態が第１装着状態又は第２装着状態のいずれであるかを検出し、機能割当部は、装着状態検出部により第１装着状態が検出された場合に複数の操作部４２ａ，４２ｂの機能を第１設定とし、装着状態検出部により第２装着状態が検出された場合に複数の操作部４２ａ，４２ｂの機能を第２設定とする構成となっている。
この構成によれば、装置本体１１の取付位置を、少なくとも２つの取付部（第１取付部及び第２取付部）において切り替え可能な構成を実現できる。更に、装置本体１１が各取付部に装着されるときの各装着状態を検出し、複数の操作部４２ａ，４２ｂを、各装着状態に合わせた割り当てにすることができる。
【００８４】
本構成では、複数の操作部として、１又は複数の第１操作領域が構成された所定の第１操作部４２ａと、第１操作部４２ａとは異なる１又は複数の第２操作領域が構成された第２操作部４２ｂと、が含まれている。そして、装置本体１１が右側装着部７０（第１取付部）に対して第１装着状態で装着された場合に、第１操作部４２ａが第２操作部４２ｂよりも上方に配置され、装置本体１１が左側装着部８０（第２取付部）に対して第２装着状態で装着された場合に、第２操作部４２ｂが第１操作部４２ａよりも上方に配置される構成となっている。更に、機能割当部は、装着状態検出部によって第１装着状態が検出された場合に、第１操作部４２ａに第１機能を割り当てると共に第２操作部４２ｂに第２機能を割り当て、装着状態検出部によって第２装着状態が検出された場合に、第１操作部４２ａに第２機能を割り当てると共に第２操作部４２ｂに第１機能を割り当てる構成となっている。
この構成によれば、装置本体１１を、第１操作部４２ａが第２操作部４２ｂよりも上方に配置される第１装着状態と、第２操作部４２ｂが第１操作部４２ａよりも上方に配置される第２装着状態と、に切り替えて使用することが可能となる。一方、この構成では、第１装着状態と第２装着状態とで第１操作部４２ａと第２操作部４２ｂの上下関係が逆転するが、機能割当部により、相対的に上側になった操作部に第１機能を割り当て、相対的に下側になった操作部に第２機能を割り当てることができるため、第１装着状態及び第２装着状態のいずれでも、上側を第１機能として使用し、下側を第２機能として使用することが可能となる。
【００８５】
また、本構成では、取付部材６０において、１又は複数の磁石（例えば磁石７３ａ，７３ｂ，８３ａ，８３ｂ）からなる磁石部が設けられ、装着状態検出部が、１又は複数のセンサからなるセンサ部１００を備えており、取付部に対する装置本体１１の装着状態に応じて、磁石部に対するセンサ部１００の相対的な位置関係が変化する構成となっている。そして、装着状態検出部は、センサ部１００での検出結果に基づいて装置本体１１の装着状態を検出する構成となっている。
この構成によれば、装置本体１１の装着状態を、磁石部とセンサ部１００とを用いたより簡易な構成で検出できるようになる。
【００８６】
より具体的には、右側装着部７０（第１取付部）に１又は複数の磁石からなる第１磁石部（例えば、複数の磁石７３ａ，７３ｂ）が設けられ、左側装着部８０（第２取付部）に１又は複数の磁石からなる第２磁石部（例えば、複数の磁石８３ａ，８３ｂ）が設けられている。そして、装着状態検出部は、センサ部１００を備えている。そして、装置本体１１が右側装着部７０（第１取付部）に対して第１装着状態で装着された場合に、右側装着部７０（第１取付部）に配置される磁石部（例えば、複数の磁石７３ａ，７３ｂ）に対するセンサ部１００の相対的な位置が第１相対位置となり、装置本体１１が左側装着部８０（第２取付部）に対して第２装着状態で装着された場合に、左側装着部８０（第２取付部）に配置される磁石部（例えば、複数の磁石８３ａ，８３ｂ）に対するセンサ部１００の相対的な位置が第２相対位置となる構成である。そして、装着状態検出部は、センサ部１００での検出結果に基づいて装置本体１１の装着状態を検出する構成となっている。
この構成によれば、装置本体１１の取付位置を、少なくとも２つの取付部（第１取付部及び第２取付部）において切り替え可能な構成を実現しつつ、装置本体１１がいずれの取付部に取り付けられている状態であるかを、磁石部（例えば磁石７３ａ，７３ｂ，８３ａ，８３ｂ）とセンサ部１００とを用いたより簡易な構成で検出できるようになる。
【００８７】
また、本構成では、センサ部１００が複数の磁気センサを備えており、装置本体１１が右側装着部７０（第１取付部）に対して第１装着状態で装着された場合、センサ部１００にて第１磁気検出結果が得られ、装置本体１１が左側装着部８０（第２取付部）に対して第２装着状態で装着された場合に、センサ部１００にて第２磁気検出結果が得られる構成となっている。そして、装着状態検出部は、センサ部１００で第１磁気検出結果が得られた場合に第１装着状態を検出し、センサ部で第２磁気検出結果が得られた場合に第２装着状態を検出する構成となっている。
この構成では、装置本体１１の取付位置を少なくとも２つの取付部（第１取付部及び第２取付部）において切り替え可能な構成を実現しつつ、装置本体１１がいずれの取付部に取り付けられている状態であるかを、センサ部１００での磁気の検出結果に基づいてより正確に検出し易くなる。
【００８８】
［第２実施形態]
第２実施形態では、センサ部の構成及び制御回路での装着状態の判定方法のみが第１実施形態と異なり、それ以外は第１実施形態と同一である。よって、それ以外の同一部分については詳細な説明は省略し、図面上表れる第１実施形態と同一部分については同一の符号を付し詳細な説明は省略する。
【００８９】
本構成でも、上述した撮像部２３や制御回路４０（処理部）などがケース１２に収容されつつ保持された構成で装置本体１１が構成されている。一方、使用者の身体又は使用者の装着物に取り付けられる取付部材６０が装置本体１１とは別体として設けられ、装置本体１１が着脱される装着部６６（取付部）を備えている。そして、装置本体１１が、複数の取付部（右側装着部７０及び左側装着部８０）に対して着脱可能とされている。更に、装着部６６（取付部）に取り付けられる装置本体１１の装着状態を検出する装着状態検出部と、装着状態検出部での検出結果に基づいて、装置本体１１内の設定を切り替える設定切替部とが設けられている。以下では、装着状態検出部や設定切替部の具体的内容について重点的に説明する。
【００９０】
この例でも、読取装置１０は、取付部材６０において、第１取付部としての右側装着部７０と、第２取付部としての左側装着部８０とが設けられており、装置本体１１を、右側装着部７０及び左側装着部８０のいずれにも装着可能とされている。そして、図２６（Ａ）のように、装置本体１１が右側装着部７０（第１取付部）に取り付けられる場合には、図２６（Ｂ）のように所定の第１装着状態となり、図２７（Ａ）のように、装置本体１１が左側装着部８０（第２取付部）に取付られる場合には、図２７（Ｂ）のように所定の第２装着状態となる。
【００９１】
そして、この例でも、装置本体１１には、外部操作可能な複数の操作部として、１又は複数の第１操作領域が構成された所定の第１操作部４２ａと、第１操作部４２ａとは異なる１又は複数の第２操作領域が構成された第２操作部４２ｂとが設けられている。そして、図２６（Ｂ）のように、装置本体１１が右側装着部７０（第１取付部）に対して第１装着状態で装着された場合には、第１操作部４２ａが第２操作部４２ｂよりも上方に配置され、図２７（Ｂ）のように、装置本体１１が左側装着部８０（第２取付部）に対して第２装着状態で装着された場合には、第２操作部４２ｂが第１操作部４２ａよりも上方に配置されるようになっている。
【００９２】
このような基本構成を前提として、装着状態検出部に相当するセンサ部２００及び制御回路４０は、装着部６６（取付部）に取り付けられる装置本体１１の装着状態が第１装着状態又は第２装着状態のいずれであるかを検出する。この構成でも、取付部材６０において、１又は複数の磁石（例えば磁石７３ａ，７３ｂ，８３ａ，８３ｂ）からなる磁石部が設けられ、装着状態検出部としては、センサ部２００が設けられている。そして、装着部６６（取付部）に対する装置本体１１の装着状態に応じて、磁石部に対するセンサ部２００の相対的な位置関係が変化するため、装着状態検出部は、センサ部２００での検出結果に基づいて装置本体１１の装着状態を検出する。
【００９３】
より具体的には、図２６（Ａ）のように右側装着部７０（第１取付部）に１又は複数の磁石からなる第１磁石部（例えば、複数の磁石７３ａ，７３ｂ）が設けられ（図１１も参照）、図２７（Ａ）のように左側装着部８０（第２取付部）に１又は複数の磁石からなる第２磁石部（例えば、複数の磁石８３ａ，８３ｂ）が設けられている（図１０も参照）。そして、図２６（Ｂ）のように、装置本体１１が右側装着部７０（第１取付部）に対して第１装着状態で装着された場合には、右側装着部７０（第１取付部）に配置される磁石部（例えば、複数の磁石７３ａ，７３ｂ）に対するセンサ部２００の相対的な位置が第１相対位置となる。また、図２７（Ｂ）のように、装置本体１１が左側装着部８０（第２取付部）に対して第２装着状態で装着された場合に、左側装着部８０（第２取付部）に配置される磁石部（例えば、複数の磁石８３ａ，８３ｂ）に対するセンサ部２００の相対的な位置が第２相対位置となる。このように、第１装着状態と第２装着状態とでは、センサ部２００に近接する磁石の配置が異なり、センサ部２００に及ぶ磁気の影響が異なるようになっている。
【００９４】
そして、センサ部２００は、複数の誘導電流発生部２０１，２０２を備えている。誘導電流発生部２０１，２０２は、磁石の近接又は離間に応じた誘導電流を発生させる回路である。本構成では、装置本体１１が右側装着部７０（第１取付部）に対して第１装着状態で装着される際に誘導電流発生部２０１，２０２が第１電流状態となり、装置本体１１が左側装着部８０（第２取付部）に対して第２装着状態で装着される際に誘導電流発生部２０１，２０２が第２電流状態となる。具体的には、磁石７３ａの磁力が非常に大きく、磁石７３ｂの磁力は磁石７３ａよりも大幅に小さくなっている。一方、連結部８３ａの磁力は相対的に小さく、連結部８３ｂの磁力は連結部８３ａよりも大幅に大きくなっている。このような構成では、図２６のように右側装着部７０に装置本体１１が装着された場合には、誘導電流発生部２０１で発生する電流量が大きくなり、誘導電流発生部２０２で発生する電流量がそれよりも小さくなる。一方、図２７のように左側装着部８０に装置本体１１が装着された場合には、誘導電流発生部２０１で発生する電流量が小さくなり、誘導電流発生部２０２で発生する電流量がそれよりも大きくなる。従って、このような構成では、誘導電流発生部２０１で発生する電流量が誘導電流発生部２０２で発生する電流量よりも大きい場合（第１電流状態の場合）に、制御回路４０によって第１装着状態と判定し、誘導電流発生部２０１で発生する電流量が誘導電流発生部２０２で発生する電流量よりも小さい場合（第２電流状態の場合）に、制御回路４０によって第２装着状態と判定すればよい。このように、装着状態検出部に相当する制御回路４０及びセンサ部２００は、センサ部２００での検出結果に基づいて装置本体１１の装着状態を検出する。
【００９５】
このように、本構成では、装置本体１１の取付位置を少なくとも２つの取付部（第１取付部及び第２取付部）において切り替え可能な構成を実現しつつ、装置本体１１がいずれの取付部に取り付けられている状態であるかを、誘導電流発生部２０１，２０２での電流状態に基づいてより正確に検出し易くなる。
【００９６】
［第３実施形態]
次に、図２８〜図３０等を参照して第３実施形態について説明する。
第３実施形態では、センサ部の構成及び制御回路での装着状態の判定方法のみが第１実施形態と異なり、それ以外は第１実施形態と同一である。よって、それ以外の同一部分については詳細な説明は省略し、図面上表れる第１実施形態と同一部分については同一の符号を付し詳細な説明は省略する。
【００９７】
本構成では、センサ部３００と制御回路４０とによって装着状態検出部が構成される。そして、センサ部３００は、１又は複数の押圧検出部（具体的には軸部３０１及び圧力センサ３０３）として構成されており、装着部６６（取付部）には、押圧検出部（具体的には押圧検出部の一部をなす軸部３０１）を押圧可能な押圧部３１２と押圧検出部の押圧状態を低下させるように退避させる退避部３１１とを備えた被検出部３１０が形成されている。
【００９８】
具体的には、図３０（Ａ）のように、磁石７３ａの中央部付近に孔部として構成された退避部３１１が形成されており、装置本体１１が右側装着部７０（第１取付部）に対して第１装着状態で装着された場合、図３０（Ａ）のように、センサ部３００に対する被検出部３１０の位置が第１相対位置となり、且つセンサ部３００にて第１押圧検出結果が得られる構成となっている。この第１相対位置では、センサ部３００（押圧検出部）を構成する軸部３０１の一部が退避部３１１の中に入り込むため、軸部３０１によって圧力センサ３０３に加わる圧力は相対的に小さくなる。一方、装置本体１１が左側装着部８０（第２取付部）に対して第２装着状態で装着された場合に、図３０（Ｂ）のように、センサ部３００に対する被検出部３１０の位置が第２相対位置となり、且つセンサ部３００にて第２押圧検出結果が得られる構成となっている。本構成では、磁石８３ａ付近には退避部３１１のようなものが形成されておらず、第１相対位置では、センサ部３００（押圧検出部）を構成する軸部３０１が押圧部３１２によって押されつつ装着されるため、軸部３０１によって圧力センサ３０３に加わる圧力は相対的に大きくなる。
【００９９】
そして、装着状態検出部は、センサ部３００で第１押圧検出結果が得られた場合に第１装着状態を検出し、センサ部３００で第２押圧検出結果が得られた場合に第２装着状態を検出する。第１押圧検出結果は、例えば圧力センサ３０３で検出された圧力が所定の閾値以下である結果であり、第２押圧検出結果は、例えば圧力センサ３０３で検出された圧力が所定の閾値を超える結果である。なお、第１装着状態が検出された場合での装置本体１１での設定と、第２装着状態が検出された場合での装置本体１１での設定は第１実施形態と同様の設定を行えばよい。
【０１００】
この構成では、装置本体１１の取付位置を少なくとも２つの取付部（第１取付部及び第２取付部）において切り替え可能な構成を実現しつつ、装置本体１１がいずれの取付部に取り付けられている状態であるかを、センサ部３００での押圧検出結果に基づいてより正確に検出し易くなる。
【０１０１】
なお、図２８〜図３０の例では、軸部３０２の位置にも同様のセンサ部が設けられており、装置本体１１が右側取付部７０に取り付けられた場合には、軸部３０２が磁石７３ｂに形成された退避部３１１内に挿入して軸部３０２及びセンサ部が図２９（Ａ）と同様の状態となり、装置本体１１が左側取付部８０に取り付けられた場合には、軸部３０２が磁石８３ｂに押圧され、軸部３０２及びセンサ部が図２９（Ｂ）と同様の状態となる。このように、軸部３０２及びセンサ部の状態によっても、装置本体１１がどちらの取付部に取り付けられているかを特定することができる。
【０１０２】
［第４実施形態]
次に、図３１等を参照して第４実施形態について説明する。
第４実施形態では、センサ部の構成及び制御回路での装着状態の判定方法のみが第１実施形態と異なり、それ以外は第１実施形態と同一である。よって、それ以外の同一部分については詳細な説明は省略し、図面上表れる第１実施形態と同一部分については同一の符号を付し詳細な説明は省略する。
【０１０３】
この構成では、装着状態検出部が、複数の明るさセンサと制御回路４０とによって構成され、明るさセンサでの検出結果に基づいて装置本体１１の装着状態を検出する構成となっている。具体的には、装着状態検出部が、第１明るさセンサ４０１と第２明るさセンサ４０２とを備えている。そして、図３１（Ａ）のように装置本体１１が右側装着部７０（第１取付部）に対して第１装着状態で装着された場合に、第１明るさセンサ４０１が第２明るさセンサ４０２よりも上向きに配置され、装置本体１１が左側装着部８０（第２取付部）に対して第２装着状態で装着された場合に、第２明るさセンサ４０２が第１明るさセンサ４０１よりも上向きに配置される構成となっている。そして、装着状態検出部の一部をなす制御回路４０は、第１明るさセンサ４０１及び第２明るさセンサ４０２での検出結果に基づいて装置本体１１の装着状態を検出する構成となっている。例えば、第１明るさセンサ４０１で検出された明るさが第２明るさセンサ４０２で検出された明るさよりも大きい場合には、第１装着状態と判定し、第１明るさセンサ４０１で検出された明るさが第２明るさセンサ４０２で検出された明るさよりも小さい場合には、第２装着状態と判定する。なお、第１装着状態が検出された場合での装置本体１１での設定と、第２装着状態が検出された場合での装置本体１１での設定は第１実施形態と同様の設定を行えばよい。
【０１０４】
この構成によれば、明るさセンサを用いたより簡易な構成で装置本体１１の装着状態を検出することができる。具体的には、装置本体の取付位置を少なくとも２つの取付部（第１取付部及び第２取付部）において切り替え可能な構成を実現しつつ、装置本体１１がいずれの取付部に取り付けられている状態であるかを、複数種類の明るさセンサでの検出結果に基づいてより正確に検出し易くなる。
【０１０５】
［第５実施形態]
第５実施形態では、センサ部を省略した点、及び制御回路での装着状態の判定方法のみが第１実施形態と異なり、それ以外は第１実施形態と同一である。よって、それ以外の同一部分については詳細な説明は省略し、図面上表れる第１実施形態と同一部分については同一の符号を付し詳細な説明は省略する。
【０１０６】
この構成では、装着状態検出部が、撮像部２３での画像の撮像結果に基づいて装置本体１１の装着状態を検出する構成となっている。例えば、図３２（Ａ）のように、読み取りを行う領域の背景の形状が予め決まっている場合、この背景の形状を認識し、装置本体１１がどのような装着状態であるかを判定すればよい。この場合、図３２（Ａ）のように、右側装着部７０（第１取付部）に装着された第１装着状態で背景が撮像された場合、背景の相対的な向きは正常の向き（背景の上側が装置本体の上側となり、背景の下側が装置本体の下側となる向き）であるため、背景の撮像画像は、図３２（Ｂ）のように正常の向きとなる。このように、背景の撮像画像が正常の向きである場合、第１装着状態と判定すればよい。一方、図３３（Ａ）のように、左側装着部８０（第２取付部）に装着された第２装着状態で背景が撮像された場合、背景の相対的な向きは逆向き（背景の上側が装置本体の下側となり、背景の下側が装置本体の上側となる向き）であるため、背景の撮像画像は、図３３（Ｂ）のように上下逆向きとなる。このように、背景の撮像画像が上下逆向きである場合、第２装着状態と判定すればよい。なお、第１装着状態が検出された場合での装置本体１１での設定と、第２装着状態が検出された場合での装置本体１１での設定は第１実施形態と同様の設定を行えばよい。
【０１０７】
この構成によれば、情報コードＣの撮像に用いる撮像部２３を装置本体１１の装着状態を検出するために兼用することができ、装置全体をより簡素化することができる。このような構成は、特に、軽量化、小型化が求められるウェアラブル端末ではより有利になる。
【０１０８】
なお、撮像画像が正常の向きであるか、上下逆向きであるかを判定する方法は、上述の方法に限られない。例えば、撮像画像を公知のＯＣＲ技術を用いて解析することで文字や数字を抽出し、その文字や数字が正常な向きであるか上下逆向きであるかを判定することで、第１装着状態であるか、第２装着状態であるかを判定してもよい。或いは、撮像された情報コードＣの位置検出パターンを認識し、撮像画像内での位置検出パターンが所定の第１配置（例えば、撮像画像内において２つの位置検出パターンが上側に配置され、１つの位置検出パターンが下側に配置された配置）の場合に、第１装着状態と判定し、撮像画像内での位置検出パターンが所定の第２配置（例えば、撮像画像内において２つの位置検出パターンが下側に配置され、１つの位置検出パターンが上側に配置された配置）の場合に、第２装着状態と判定するような方法であってもよい。
【０１０９】
［第６実施形態]
次に、図３４等を参照して第６実施形態について説明する。
第６実施形態では、センサ部の構成及び制御回路での装着状態の判定方法のみが第１実施形態と異なり、それ以外は第１実施形態と同一である。よって、それ以外の同一部分については詳細な説明は省略し、図面上表れる第１実施形態と同一部分については同一の符号を付し詳細な説明は省略する。
【０１１０】
本構成でも、上述した撮像部２３や制御回路４０（処理部）などがケース１２に収容されつつ保持された構成で装置本体１１が構成されている。一方、使用者の身体又は使用者の装着物に取り付けられる取付部材６０が装置本体１１とは別体として設けられ、装置本体１１が着脱される装着部６６（取付部）を備えている。そして、装置本体１１が、複数の取付部（右側装着部７０及び左側装着部８０）に対して着脱可能とされている。更に、装着部６６（取付部）に取り付けられる装置本体１１の装着状態を検出する装着状態検出部と、装着状態検出部での検出結果に基づいて、装置本体１１内の設定を切り替える設定切替部とが設けられている。
【０１１１】
この例でも、取付部材６０において、第１取付部としての右側装着部７０と、第２取付部としての左側装着部８０とが設けられており、装置本体１１を、右側装着部７０及び左側装着部８０のいずれにも装着可能となっている。そして、装置本体１１が右側装着部７０（第１取付部）に取り付けられた場合には、図３４（Ａ）のように所定の第１装着状態となり、装置本体１１が左側装着部８０（第２取付部）に取付られた場合には、図３４（Ｂ）のように所定の第２装着状態となる。
【０１１２】
また、本構成でも、装置本体１１には、外部操作可能な複数の操作部として、１又は複数の第１操作領域が構成された所定の第１操作部４２ａと、第１操作部４２ａとは異なる１又は複数の第２操作領域が構成された第２操作部４２ｂとが設けられている。そして、図３４（Ａ）のように、装置本体１１が右側装着部７０（第１取付部）に対して第１装着状態で装着された場合には、第１操作部４２ａが第２操作部４２ｂよりも上方に配置される。また、図３４（Ｂ）のように、装置本体１１が左側装着部８０（第２取付部）に対して第２装着状態で装着された場合には、第２操作部４２ｂが第１操作部４２ａよりも上方に配置される構成となっている。
【０１１３】
装着状態検出部に相当するセンサ部（加速度センサ６０１）及び制御回路４０は、このような基本構成を前提として、装着部６６（取付部）に取り付けられる装置本体１１の装着状態が第１装着状態又は第２装着状態のいずれであるかを検出する。
【０１１４】
加速度センサ６０１は、例えば、装置本体１１の前後方向の加速度、上下方向の加速度、幅方向の加速度を検出可能な多軸加速度センサとして構成されている。なお、本構成では、撮像部２３の視野範囲の中心の方向（光軸方向）を前後方向としており、ケース１２の長手方向が前後方向となっている。そして、前後方向と直交する方向においてケース１２の厚さ方向が幅方向（横方向）となっており、ケース１２の対向壁部１２ａと、対向壁部１２ａの反対側の壁部（表側の側壁部１２ｂ）とが向かい合う方向が幅方向（横方向）となっている。そして、上記前後方向及び幅方向と直交する方向が上下方向となっている。図３４では、前後方向をＸ軸方向とし、上下方向をＹ軸方向とし、幅方向（横方向）をＺ軸方向として説明する。そして、前方向をＸ軸正方向、後ろ方向をＸ軸負方向とする。更に、装置本体１１の所定の上方向（操作部４２ａ側）をＹ軸正方向、下方向（操作部４２ｂ側）をＹ軸負方向とする。そして、ケース１２側から見て取付部材６０が装着される側をＺ軸負方向とし、取付部材６０とは反対側をＺ軸正方向とする。
【０１１５】
この構成では、図３４（Ａ）のように装置本体１１が右側装着部７０に装着された第１装着状態では、重力加速度の影響により、Ｙ軸方向の加速度は、Ｙ軸正方向の加速度よりもＹ軸負方向の加速度の方が大きくなる。一方、図３４（Ｂ）のように装置本体１１が左側装着部８０に装着された第２装着状態では、重力加速度の影響により、Ｙ軸方向の加速度は、Ｙ軸負方向の加速度よりもＹ軸正方向の加速度の方が大きくなる。従って、このような構成では、加速度センサ６０１での検出結果が、Ｙ軸正方向の加速度よりもＹ軸負方向の加速度の方が大きい場合に、制御回路４０によって第１装着状態と判定し、Ｙ軸負方向の加速度よりもＹ軸正方向の加速度の方が大きい場合に、制御回路４０によって第２装着状態と判定すればよい。このように、装着状態検出部に相当する制御回路４０及び加速度センサ６０１は、加速度センサ６０１での検出結果に基づいて装置本体１１の装着状態を検出する。なお、第１装着状態が検出された場合での装置本体１１での設定と、第２装着状態が検出された場合での装置本体１１での設定は第１実施形態と同様の設定を行えばよい。
【０１１６】
この構成によれば、加速度センサ６０１を用いたより簡易な構成で装置本体の装着状態を検出することができる。なお、第１装着状態が検出された場合での装置本体１１での設定と、第２装着状態が検出された場合での装置本体１１での設定は第１実施形態と同様の設定を行えばよい。
【０１１７】
［第７実施形態]
次に、第７実施形態について図３５等を参照して説明する。
第７実施形態では、センサ部の構成、装置本体１１側での連結部の構造、及び制御回路４０による装着状態の判定方法のみが第１実施形態と異なり、それ以外は第１実施形態と同一である。よって、それ以外の同一部分については詳細な説明は省略し、図面上表れる第１実施形態と同一部分については同一の符号を付し詳細な説明は省略する。
【０１１８】
本構成では、図３５（Ａ）のように、装置本体１１が右側装着部７０（第１取付部）に取り付けられる場合には、装置本体１１の所定の第１壁部１２ａ側が右側装着部７０（第１取付部）に取り付けられる。また、図３５（Ｂ）のように、装置本体１１が左側装着部８０（第２取付部）に取付られる場合には、第１壁部１２ａとは反対の所定の第２壁部１２ｂ側が左側装着部８０（第２取付部）に取り付けられる構成となっている。そして、装着状態検出部は、第１壁部１２ａ側が右側装着部７０（第１取付部）に取り付けられる場合に第１状態となり、第２壁部１２ｂ側が左側装着部８０（第２取付部）に取り付けられる場合に第２状態となるセンサ部７０１を備えており、センサ部７０１での検出結果に基づいて装置本体１１の装着状態を検出する構成となっている。
【０１１９】
この構成では、装着状態検出部がセンサ部７０１と制御回路４０とによって構成され、センサ部７０１は、第１壁部１２ａ側の明るさを検出する明るさセンサとなっている。そして、図３５（Ａ）のように第１壁部１２ａ側が右側装着部７０（第１取付部）に取り付けられた場合には、センサ部７０１（明るさセンサ）が右側装着部７０（第１取付部）側を向いて配置され、第２壁部１２ｂ側が左側装着部８０（第２取付部）に取付られた場合にはセンサ部７０１（明るさセンサ）が左側装着部８０（第２取付部）とは反対側を向いて配置される構成となっている。そして、装着状態検出部は、センサ部７０１（明るさセンサ）での検出結果に基づいて装置本体１１の装着状態を検出する構成となっている。例えばセンサ部７０１で検出された明るさが所定の閾値を未満である場合には、第１装着状態と判定し、センサ部７０１で検出された明るさが所定の閾値を以上である場合には、第２装着状態と判定する。なお、第１装着状態が検出された場合での装置本体１１での設定と、第２装着状態が検出された場合での装置本体１１での設定は第１実施形態と同様の設定を行えばよい。
【０１２０】
この構成では、装置本体１１が右側装着部７０（第１取付部）に取り付けられる場合と、左側装着部８０（第２取付部）に取り付けられる場合とで、装置本体１１における取付対象の壁部を異ならせることができる。そして、このような構成を実現しつつ、装置本体１１がいずれの取付部に取り付けられている状態であるかを、センサ部での検出結果に基づき、より簡易に且つより正確に検出し易くなる。
【０１２１】
具体的には、右側装着部７０（第１取付部）に取り付けられる場合と左側装着部８０（第２取付部）に取り付けられる場合とで、装置本体１１における取付対象の壁部を異ならせることが可能な構成において、装置本体１１がいずれの取付部に取り付けられている状態であるかを、センサ部７０１（明るさセンサ）での検出結果に基づいてより一層正確に検出し易くなる。特に、右側装着部７０（第１取付部）に取り付けられた場合と、左側装着部８０（第２取付部）に取り付けられた場合とで、センサ部７０１（明るさセンサ）に入り込む光が大きく変わり得る構成であるため、装着状態をより正確に判定しやすくなる。
【０１２２】
［第８実施形態]
次に、第８実施形態について図３６等を参照して説明する。
第８実施形態では、センサ部の構成、装置本体１１側での連結部の構造、及び制御回路４０による装着状態の判定方法のみが第１実施形態と異なり、それ以外は第１実施形態と同一である。よって、それ以外の同一部分については詳細な説明は省略し、図面上表れる第１実施形態と同一部分については同一の符号を付し詳細な説明は省略する。
【０１２３】
本構成でも、図３６（Ａ）のように、装置本体１１が右側装着部７０（第１取付部）に取り付けられる場合には、装置本体１１の所定の第１壁部１２ａ側が右側装着部７０（第１取付部）に取り付けられる。また、図３６（Ｂ）のように、装置本体１１が左側装着部８０（第２取付部）に取付られる場合には、第１壁部１２ａとは反対の所定の第２壁部１２ｂ側が左側装着部８０（第２取付部）に取り付けられる構成となっている。そして、装着状態検出部は、第１壁部１２ａ側が右側装着部７０（第１取付部）に取り付けられる場合に第１状態となり、第２壁部１２ｂ側が左側装着部８０（第２取付部）に取り付けられる場合に第２状態となるセンサ部８０１を備えており、センサ部８０１での検出結果に基づいて装置本体１１の装着状態を検出する構成となっている。
【０１２４】
この構成では、装着状態検出部がセンサ部８０１と制御回路４０とによって構成され、センサ部８０１は、第１壁部１２ａ側からの距離を測定する測距センサとなっている。そして、図３６（Ａ）のように、第１壁部１２ａ側が右側装着部７０（第１取付部）に取り付けられた場合にセンサ部８０１（測距センサ）が右側装着部７０（第１取付部）側を向いて配置され、図３６（Ｂ）のように、第２壁部１２ｂ側が左側装着部８０（第２取付部）に取付られた場合にセンサ部８０１（測距センサ）が左側装着部８０（第２取付部）とは反対側を向いて配置される構成となっている。そして、装着状態検出部の一部をなす制御回路４０は、センサ部８０１（測距センサ）での検出結果に基づいて装置本体１１の装着状態を検出する構成となっている。例えばセンサ部８０１で検出された距離が所定の閾値を未満である場合には、第１装着状態と判定し、センサ部８０１で検出された明るさが所定の閾値を以上である場合には、第２装着状態と判定する。なお、第１装着状態が検出された場合での装置本体１１での設定と、第２装着状態が検出された場合での装置本体１１での設定は第１実施形態と同様の設定を行えばよい。
【０１２５】
この構成によれば、右側装着部７０（第１取付部）に取り付けられる場合と左側装着部８０（第２取付部）に取り付けられる場合とで、装置本体１１における取付対象の壁部を異ならせることが可能な構成において、装置本体１１がいずれの取付部に取り付けられている状態であるかを、センサ部８０１（測距センサ）での検出結果に基づいてより一層正確に検出し易くなる。特に、装置本体１１が右側装着部７０（第１取付部）に取り付けられる場合と、左側装着部８０（第２取付部）に取り付けられる場合とで、センサ部８０１（測距センサ）の測定側の空間状態が大きく変わり得る構成であるため、装着状態をより正確に判定しやすくなる。
【０１２６】
［他の実施形態]
本発明は上記記述及び図面によって説明した実施形態に限定されるものではなく、例えば次のような実施形態も本発明の技術的範囲に含まれる。
【０１２７】
上記実施形態では、装置本体を２つの取付部に取り付け可能な例を示したが、取付部において３以上の取付部が設けられており、装置本体を３以上のいずれかの取付部に取り付けるように取付状態が変更可能とされていてもよい。
【０１２８】
上記実施形態では、第１操作部４２ａが１つの押しボタンで構成されて１つの操作領域を備え、第２操作部４２ｂが１つの押しボタンで構成されて１つの操作領域を備えた構成を示したが、第１操作部４２ａが２以上の操作領域を備えていてもよく、第２操作部４２ｂが２以上の操作領域を備えていてもよい。例えば、第１操作部４２ａが２以上の押しボタンで構成され、第２操作部４２ｂが２以上の押しボタンで構成されていてもよい。
【０１２９】
上記実施形態では、複数の操作部として、２つの操作部４２ａ，４２ｂを例示し、装置本体１１の装着状態に応じて２つの操作部４２ａ，４２ｂに割り当てる機能を変更する例を示したが、３以上の操作部が設けられ、装置本体１１の装着状態に応じて３以上の操作部に割り当てる機能を変更してもよい。例えば、装置本体１１に３つの操作部を設けた場合、装置本体１１が第１取付部に取り付けられた場合には、第１操作部に機能Ａを割り当て、第２操作部に機能Ｂを割り当て、第２操作部に機能Ｃを割り当てるような例が挙げられる。この場合、装置本体１１が第２取付部に取り付けられた場合には、例えば、第１操作部に機能Ｃを割り当て、第２操作部に機能Ａを割り当て、第２操作部に機能Ｂを割り当てるように割り当てを変更することができる。
【０１３０】
上記実施形態では取付部材の一例を示したが、取付部材は使用者又は使用者の身体に装着できる部材であればよい。例えば、メガネとして構成される身体装着部の右耳側に右側装着部を設け、左側に左側装着部を設けるような構成でもよい。或いは、使用者の頭や使用者が装着したヘルメットに鉢巻状に巻き付けるように身体装着部が構成されていてもよい。或いは、使用者の右手に装着する右手袋に一方の取付部を設け、使用者の左手に装着する左手袋に他方の取付部を設け、装置本体がいずれの取付部に取り付けられるかに応じて装置本体内の設定を変えるようにしてもよい。
【０１３１】
第３実施形態では、右側取付部７０に設けられた磁石７３ａ，７３ｂに孔部としての退避部３１１を設け、左側取付部８０に設けられた磁石８３ａ，８３ｂに退避部３１１を設けない構成を例示したが、この例に限られない。例えば、図２８（Ａ）において磁石７３ｂに設けられた退避部３１１を設けないようにし、図２９（Ａ）において磁石８３ｂに、退避部３１１を設けるようにしてもよい。この場合、装置本体１１が右側取付部７０に取り付けられた場合には、軸部３０１側のセンサ部では押圧が検出されず、軸部３０２側のセンサ部では押圧が検出されることになる。逆に、装置本体１１が左側取付部８０に取り付けられた場合には、軸部３０２側のセンサ部では押圧が検出されず、軸部３０１側のセンサ部では押圧が検出されることになる。このように検出状態の差異が生じるため、その検出結果に基づいてどちらの取付部に取り付けられているかを判定することができる。
【符号の説明】
【０１３２】
１０…携帯型情報コード読取装置
１１…装置本体
１２…ケース
１２ａ…壁部（第１壁部）
１２ｂ…壁部（第２壁部）
２３…撮像部
４０…制御回路（処理部、装着状態検出部、設定切替部、機能割当部）
４２…操作スイッチ
４２ａ…操作部（第１操作部）
４２ｂ…操作部（第２操作部）
５０…ガイド部
５０ａ…レンズ
５１…第１ケース側連結部
５２…第２ケース側連結部
６０…取付部材
６２…身体装着部
６２ａ…右耳取付部
６２ｂ…左耳取付部
６２ｃ…中間連結部
６３ｂ…前側延出部
６６…装着部（取付部）
７０…右側取付部（第１取付部）
７１…裏面部
７２…表面部
７３ａ…第１右側連結部（磁石、磁石部） 
７３ｂ…第２右側連結部（磁石、磁石部）
８０…左側取付部（第２取付部）
８１…裏面部
８２…表面部
８３ａ…第１左側連結部（磁石、磁石部）
８３ｂ…第２左側連結部（磁石、磁石部）
９８…マーカ光照射部
１００…センサ部（装着状態検出部、磁気センサ）
１０１…磁気センサ
１０２…磁気センサ
２００…センサ部
２０１…誘導電流発生部
２０２…誘導電流発生部
３００…センサ部
３０１…軸部（被検出部）
３０３…圧力センサ
３１０…被検出部
３１１…退避部
３１２…押圧部
４０１…第１明るさセンサ（明るさセンサ）
４０２…第２明るさセンサ（明るさセンサ）
６０１…加速度センサ
７０１…明るさセンサ
８０１…測距センサ
Ｃ…情報コード
【図１】
2016033781.tif 000003
【図２】
2016033781.tif 000004
【図３】
2016033781.tif 000005
【図４】
2016033781.tif 000006
【図５】
2016033781.tif 000007
【図６】
2016033781.tif 000008
【図７】
2016033781.tif 000009
【図８】
2016033781.tif 000010
【図９】
2016033781.tif 000011
【図１０】
2016033781.tif 000012
【図１１】
2016033781.tif 000013
【図１２】
2016033781.tif 000014
【図１３】
2016033781.tif 000015
【図１４】
2016033781.tif 000016
【図１５】
2016033781.tif 000017
【図１６】
2016033781.tif 000018
【図１７】
2016033781.tif 000019
【図１８】
2016033781.tif 000020
【図１９】
2016033781.tif 000021
【図２０】
2016033781.tif 000022
【図２１】
2016033781.tif 000023
【図２２】
2016033781.tif 000024
【図２３】
2016033781.tif 000025
【図２４】
2016033781.tif 000026
【図２５】
2016033781.tif 000027
【図２６】
2016033781.tif 000028
【図２７】
2016033781.tif 000029
【図２８】
2016033781.tif 000030
【図２９】
2016033781.tif 000031
【図３０】
2016033781.tif 000032
【図３１】
2016033781.tif 000033
【図３２】
2016033781.tif 000034
【図３３】
2016033781.tif 000035
【図３４】
2016033781.tif 000036
【図３５】
2016033781.tif 000037
【図３６】
2016033781.tif 000038